(57)【特許請求の範囲】
【請求項１】
アイアン型式ゴルフクラブ用のクラブヘッドであって、
ヒール部分と、ソール部分と、トウ部分と、トップライン部分と、フェース部分と、を有していて前記ソール部分が前記フェース部分の下端から後方へ延びている本体であって、更に後部ボイドを画定している本体、を備えているクラブヘッドにおいて、
前記フェース部分は、座標系の起点を画定している理想打球場所を含んでおり、当該座標系では、前記本体が通常のアドレス位置にあるとき、ｘ軸は前記理想打球場所における前記フェース部分に対する接線方向であって地平面に平行であり、ｙ軸は前記ｘ軸に垂直に延び更に前記地平面に平行であり、ｚ軸は前記地平面に垂直に延びており、正のｘ軸は前記起点から前記ヒール部分の方へ延び、正のｙ軸は前記起点から後方へ延び、正のｚ軸は前記起点から上方へ延びており、
前記本体は、−２５ｍｍ＜ｘ＜２５ｍｍの中央領域を含んでおり、
前記中央領域内に包含されている前記ソール部分は、前記フェース部分に隣接して配置されている前方ソール領域と前記前方ソール領域の後方に配置されているソールバーとを含み、前記前方ソール領域は、前方ソール最小厚さＴＦＳを有する壁を画定し、前記ソールバーは、ソールバー最大厚さＴＳＢを有する本体を画定しており、而して０．０５＜ＴＦＳ／ＴＳＢ＜０．４であり、
前記ソール部分は、実質的に前記ソール部分のヒール−トウ方向に延びているスロットを含んでおり、前記スロットは、前記ソール部分を貫いて前記後部ボイドの中へと延びている経路の部分を画定しており、
前記フェース部分はフェース平面を画定しており、前記経路は、
少なくとも１ｍｍの長さを有していて前記フェース平面との平行度３０°以内の下経路角度を画定している下経路部分と、
少なくとも１ｍｍの長さを有していて前記フェース平面に対する直角度３０°以内の中間経路角度を画定している中間経路部分と、
少なくとも１ｍｍの長さを有していて前記フェース平面との平行度３０°以内の上経路角度を画定している上経路部分と、を備えている、クラブヘッド。
【請求項２】
アイアン型式ゴルフクラブ用のクラブヘッドであって、
ヒール部分と、ソール部分と、トウ部分と、トップライン部分と、フェース部分と、を有していて前記ソール部分が前記フェース部分の下端から後方へ延びている本体であって、更に後部ボイドを画定している本体、を備えているクラブヘッドにおいて、
前記フェース部分は、座標系の起点を画定している理想打球場所を含んでおり、当該座標系では、前記本体が通常のアドレス位置にあるとき、ｘ軸は前記理想打球場所における前記フェース部分に対する接線方向であって地平面に平行であり、ｙ軸は前記ｘ軸に垂直に延び更に前記地平面に平行であり、ｚ軸は前記地平面に垂直に延びており、正のｘ軸は前記起点から前記ヒール部分の方へ延び、正のｙ軸は前記起点から後方へ延び、正のｚ軸は前記起点から上方へ延びており、
前記本体は、−２５ｍｍ＜ｘ＜２５ｍｍの中央領域を含んでおり、
前記中央領域内に包含されている前記ソール部分は、前記フェース部分に隣接して配置されている前方ソール領域と前記前方ソール領域の後方に配置されているソールバーとを含み、前記前方ソール領域は、前方ソール最小厚さＴＦＳを有する壁を画定し、前記ソールバーは、ソールバー最大厚さＴＳＢを有する本体を画定しており、
前記ソール部分は、実質的に前記ソール部分のヒール−トウ方向に延びているスロットを含んでおり、前記スロットは、前記ソール部分を貫いて前記後部ボイドの中へと延びている経路の部分を画定しており、前記経路は、
少なくとも１ｍｍの長さを有していて前記フェース平面との平行度３０°以内の下経路角度を画定している下経路部分と、
少なくとも１ｍｍの長さを有していて前記フェース平面に対する直角度３０°以内の中間経路角度を画定している中間経路部分と、
少なくとも１ｍｍの長さを有していて前記フェース平面との平行度３０°以内の上経路角を画定している上経路部分と、を含んでいる、クラブヘッド。
【請求項３】
前記スロットは、当該スロットの前記トウ部分に最も近い部分と当該スロットの前記ヒール領域に最も近い部分の間の距離を備えるスロット長さを有しており、前記スロット長さは、約１５ｍｍから約８５ｍｍである、請求項２に記載のクラブヘッド。
【請求項４】
０．８ｍｍ＜ＴＦＳ＜３．０ｍｍである、請求項２に記載のクラブヘッド。
【請求項５】
前記スロットはスロット長さＬ１を有し、
前記本体はソール長さＬＢを有し、
前記スロット長さ対前記ソール長さの比は、次の不等式、即ち、０．３５＜Ｌ１／ＬＢ＜０．６７を満たしている、請求項２に記載のクラブヘッド。
【請求項６】
前記本体は、内部キャビティを画定しており、前記本体は、次の不等式、即ち、１０ｃｃ＜Ｖ＜１２０ｃｃを満たす体積Ｖを有している、請求項２に記載のクラブヘッド。
【請求項７】
前記スロットの中の充填材料を更に備えている、請求項２に記載のクラブヘッド。
【発明の詳細な説明】
【技術分野】
【０００１】
（関連出願の相互参照）
本出願は、２０１２年６月８日出願の米国仮特許出願第６１／６５７，６７５号の恩典を主張し、同出願を参考文献としてここにそっくりそのまま援用する。
【０００２】
本開示は、ゴルフクラブヘッド、ゴルフクラブ、及びゴルフクラブのセットに関する。より厳密には、本開示は、アイアン型式ゴルフクラブ用のゴルフクラブヘッドと、その様なゴルフクラブヘッドを含むゴルフクラブ並びにゴルフクラブのセットに関する。
【背景技術】
【０００３】
ゴルフセットは、ゴルフのゲーム中にボールを打つ際の異なった条件又は状況で使用されるように様々な型式のクラブを含んでいる。クラブのセットは、典型的に、ボールをコース上で最も長い距離に打つための「ドライバー」を含んでいる。フェアウェイ「ウッド」は、ボールをドライバーよりも短い距離に打つのに使用することができる。アイアンのセットは、ボールを、典型的にはドライバー又はウッドよりも短い距離の範囲内に打つのに使用される。クラブはどれもみな、ゴルファーが特定のクラブを使用して最適且つ最も予測可能なショットを実現する公算を最大化するためのフェース上の最適打球ゾーンを表す理想打球場所即ち「スイートスポット」を有している。
【０００４】
アイアンは、ボールをアイアンで打とうとするときはいつでも、普通にボールに接触する平坦な面を有している。アイアンは、約１８度から約６４度を範囲とするロフトを実現するよう角度の付けられた面を有している。アイアンのスイートスポットの寸法は、概して、アイアンの打球面の寸法（即ち、表面積）に関係しており、アイアンセットは、多くのゴルファーにとって望ましいとされる広いスイートスポットを提供するように特大のクラブヘッドを備えたものが入手可能である。殆どのゴルファーは、所望のボール速度、距離、及び軌道を実現するべく、スイートスポット内でボールと接触を果たせるように奮闘している。
【０００５】
従来の「ブレード」型アイアンは、（特に初心者ゴルファーについては）「キャビティバック」や「中空」アイアン設計を含む所謂「周辺加重型」アイアンに広く取って代わられている。キャビティバックアイアンは、打球板の真後ろにキャビティを有し、クラブヘッド質量を打球板の周辺周りに分散させるようにしており、その様なクラブは、中心外れの打ち方に対する寛容性がより大きい傾向がある。中空アイアンは、キャビティバックアイアンと同様の特徴を有しているが、キャビティが後方壁によって包封されて打球板の背後に中空空間を形成している。周辺加重型、キャビティバック、及び中空アイアンの設計は、クラブ設計者が、例えばクラブヘッド質量中心の位置又は慣性モーメントと関連付けられる意図したプレイ特性を実現するために、クラブヘッドの質量を配分し直すことを可能にしている。これらの設計は、更に、クラブ設計者が、ゴルフクラブヘッドの主本体に支持されていない比較的広い面区域を有する打球板を提供することを可能にしている。
【先行技術文献】
【特許文献】
【０００６】
【特許文献１】米国仮特許出願第６１／６５７，６７５号
【特許文献２】米国特許出願公開第２０１１／００２８２４０号
【特許文献３】米国特許出願公開第２０１１／０２７５４５１号
【特許文献４】米国特許第６，８１１，４９６号
【特許文献５】米国公開特許出願第２０１１／０１５９９８１号
【発明の概要】
【０００７】
本開示は、典型的にヘッド本体と打球板とを備えるアイアン型式ゴルフクラブヘッドを記載している。ヘッド本体は、ヒール部分と、トウ部分と、トップライン部分と、ソール部分と、クラブヘッドをシャフトへ取り付けるように構成されているホーゼルと、を含んでいる。一部の実施形態では、ヘッド本体は、前開口部を画定しており、前開口部は、その周囲周りに形成されている前リムに打球板を受け入れるように構成されている。他の実施形態では、打球板は、ヘッド本体と（例えば鋳造などにより）一体に形成されている。
【０００８】
アイアン型式ゴルフクラブヘッドの一部の実施形態は、クラブヘッドの１つ又はそれ以上の場所に設けられている可撓性境界構造（「ＦＢＳ」）を含んでいる。可撓性境界構造は、幾つかの実施形態では、ゴルフクラブヘッドの隣接部分又は関連部分の屈曲する又は撓む能力を高めそれによりゴルフクラブヘッドの性能における所望の改善を提供するスロット、チャネル、ギャップ、薄肉又は脆弱領域、又は他の構造、を備えていてもよい。
【０００９】
第１の態様では、アイアン型式ゴルフクラブ用のクラブヘッドは、ヒール部分と、ソール部分と、トウ部分と、トップライン部分と、フェース部分と、を有する本体を含んでおり、ソール部分は、フェース部分の下端から後方へ延びている。フェース部分は、座標系の起点を画定している理想打球場所を含んでおり、当該座標系では、本体が通常のアドレス位置にあるとき、ｘ軸は理想打球場所におけるフェース部分に対する接線方向であって地平面に平行であり、ｙ軸はｘ軸に垂直に延び更に地平面に平行であり、ｚ軸は地平面に垂直に延びている。座標系では、正のｘ軸は起点からヒール部分の方へ延び、正のｙ軸は起点から後方へ延び、正のｚ軸は起点から上方へ延びている。本体は、−２５ｍｍ＜ｘ＜２５ｍｍの中央領域を含んでいる。中央領域内に包含されているソール部分は、フェース部分に隣接して配置されている前方ソール領域と前方ソール領域の後方に配置されているソールバーとを含み、前方ソール領域は前方ソール最小厚さＴＦＳを有する壁を画定し、ソールバーはソールバー最大厚さＴＳＢを有する本体を画定しており、而して０．０５＜ＴＦＳ／ＴＳＢ＜０．４である。ソールバーは、実質的にソール部分のヒール−トウ方向に延びていてソールバーの底面に配置された第１チャネル開口部を有している第１チャネルを画定している。
【００１０】
一部の実施形態では、第１チャネルは、第１チャネルのトウ部分に最も近い部分と第１チャネルのヒール領域に最も近い部分の間の距離を備える第１チャネル長さを有しており、第１チャネル長さは約１５ｍｍから約６２ｍｍである。一部の追加の実施形態では、第１チャネル長さは約３０ｍｍから約５７ｍｍである。
【００１１】
一部の実施形態では、第１チャネルは、地平面と第１チャネルの最上点の間の垂直方向距離を備える第１チャネル深さを有しており、中央領域内の第１チャネル深さの平均は約５ｍｍから約２５ｍｍである。一部の追加の実施形態では、第１チャネル深さは中央領域内で実質的に一定である。
【００１２】
一部の実施形態では、本体は、ｘ軸座標が−２５ｍｍより小さいトウ側領域と、ｘ軸座標が２５ｍｍより大きいヒール側領域と、を含んでおり、第１チャネルは、中央領域の平均深さが、トウ側領域の第１チャネルの平均深さより小さい。一部の更なる実施形態では、第１チャネルは、中央領域の平均深さが、ヒール側領域の第１チャネルの平均深さより小さい。また更に、一部の実施形態では、第１チャネルは、中央領域の平均深さが、トウ側領域の第１チャネルの平均深さより小さく且つヒール側領域の第１チャネルの平均深さより小さい。更に他の実施形態では、第１チャネルは、中央領域の平均深さが、トウ側領域の第１チャネルの平均深さより大きい。更に他の実施形態では、第１チャネルは、中央領域の平均深さが、ヒール側領域の第１チャネルの平均深さより大きい。更に他の実施形態では、第１チャネルは、中央領域の平均深さが、トウ側領域の第１チャネルの平均深さより大きく且つヒール側領域の第１チャネルの平均深さより大きい。
【００１３】
一部の実施形態では、ソールバーは、実質的にソールバーのヒール−トウ方向に延びていてソールバーの上面に配置された第２チャネル開口部を有している第２チャネルを画定しており、第２チャネルは、第２チャネル長さ、第２チャネル深さ、及び第２チャネル幅を有している。
【００１４】
一部の実施形態では、本体の中央領域は、−２０ｍｍ＜ｘ＜２０ｍｍと定義されている。更に他の実施形態では、本体の中央領域は、−１５ｍｍ＜ｘ＜１５ｍｍと定義されている。
【００１５】
一部の実施形態では、０．８ｍｍ＜ＴＦＳ＜３．０ｍｍである。更に他の実施形態では、１．０ｍｍ＜ＴＦＳ＜２．５ｍｍである。
【００１６】
一部の実施形態では、第１チャネルは第１チャネル長さＬ１を有し、本体はソール長さＬＢを有し、第１チャネル長さ対ソール長さの比は、次の不等式、即ち、０．３５＜Ｌ１／ＬＢ＜０．６７を満たしている。
【００１７】
一部の実施形態では、第１チャネルは、地平面から第１チャネルの最上点までの垂直方向距離を備える第１チャネル深さＨ１を画定し、本体は、地平面から本体の最上点までの垂直方向距離を備える本体高さＨＣＨを画定し、中央領域内の第１チャネル深さＨ１の平均値対本体高さＨＣＨの比は、次の不等式、即ち、０．０７＜Ｈ１ＡＶＧ／ＨＣＨ＜０．５０を満たしている。
【００１８】
一部の実施形態では、第１チャネルは、第１チャネル中心線を画定し、フェース部分はフェース平面を画定している。これらの実施形態では、第１チャネル中心線とフェース平面の地平面への投影点が、フェースからチャネルまでの距離を画定し、ソール部分はソール幅を画定し、中央領域内のフェースからチャネルまでの距離の平均値Ｄ１対中央領域内のソール幅の平均値Ｄ３の比は、次の不等式、即ち、０．１３＜Ｄ１／Ｄ３＜０．６１を満たしている。
【００１９】
一部の実施形態では、本体は、内部キャビティを画定し、本体は、次の不等式、即ち、１０ｃｃ＜Ｖ＜１２０ｃｃを満たす体積Ｖを有している。これらの実施形態の幾つかでは、本体は、次の不等式、即ち、４０ｃｃ＜Ｖ＜９０ｃｃを満たす体積Ｖを有している。これらの実施形態の幾つかでは、本体は、次の不等式、即ち、６０ｃｃ＜Ｖ＜８０ｃｃを満たす体積Ｖを有している。
【００２０】
一部の実施形態では、本体は、次の不等式、即ち、１５ｃｃ＜ＤＣＨ＜１００ｃｃを満たすクラブヘッド奥行ＤＣＨを画定している。これらの実施形態の幾つかでは、本体は、次の不等式、即ち、３０ｃｃ＜ＤＣＨ＜８０ｃｃを満たすクラブヘッド奥行を有している。これらの実施形態の幾つかでは、本体は、次の不等式、即ち、４０ｃｃ＜ＤＣＨ＜７０ｃｃを満たすクラブヘッド奥行を有している。
【００２１】
一部の実施形態では、充填材料が第１チャネルの中に配置されている。
【００２２】
第２の態様では、アイアン型式ゴルフクラブ用のクラブヘッドは、ヒール部分と、ソール部分と、トウ部分と、トップライン部分と、フェース部分と、を有する本体を含んでおり、ソール部分は、フェース部分の下端から後方へ延びている。フェース部分は、座標系の起点を画定している理想打球場所を含んでおり、当該座標系では、本体が通常のアドレス位置にあるとき、ｘ軸は理想打球場所におけるフェース部分に対する接線方向であって地平面に平行であり、ｙ軸はｘ軸に垂直に延び更に地平面に平行であり、ｚ軸は地平面に垂直に延びている。座標系では、正のｘ軸は起点からヒール部分の方へ延び、正のｙ軸は起点から後方へ延び、正のｚ軸は起点から上方へ延びている。本体は、−２５ｍｍ＜ｘ＜２５ｍｍの中央領域を含んでいる。中央領域内に包含されているソール部分は、フェース部分に隣接して配置されている前方ソール領域と前方ソール領域の後方に配置されているソールバーとを含み、ソールバーは、実質的にソール部分のヒール−トウ方向に延びていてソールバーの底面に配置された第１チャネル開口部を有している第１チャネルを画定している。第１チャネルは、第１チャネル中心線を画定し、フェース部分はフェース平面を画定しており、その結果、第１チャネル中心線とフェース平面の地平面への投影点が、フェースからチャネルまでの距離を画定している。ソール部分はソール幅を画定している。中央領域内のフェースからチャネルまでの距離の平均値Ｄ１対中央領域内のソール幅の平均値Ｄ３の比は、次の不等式、即ち、０．１３＜Ｄ１／Ｄ３＜０．６１を満たしている。
【００２３】
一部の実施形態では、前方ソール領域は、前方ソール最小厚さＴＦＳを有する壁を画定し、ソールバーは、ソールバー最大厚さＴＳＢを有する本体を画定しており、而して０．０５＜ＴＦＳ／ＴＳＢ＜０．４である。
【００２４】
一部の実施形態では、０．８ｍｍ＜ＴＦＳ＜３．０ｍｍである。更に他の実施形態では、１．０ｍｍ＜ＴＦＳ＜２．５ｍｍである。
【００２５】
一部の実施形態では、第１チャネルは第１チャネル長さＬ１を有し、本体はソール長さＬＢを有し、第１チャネル長さ対ソール長さの比は、次の不等式、即ち、０．３５＜Ｌ１／ＬＢ＜０．６７を満たしている。
【００２６】
一部の実施形態では、第１チャネルは、地平面から第１チャネルの最上点までの垂直方向距離を備える第１チャネル深さＨ１を画定し、本体は、地平面から本体の最上点までの垂直方向距離を備える本体高さＨＣＨを画定し、中央領域内の第１チャネル深さＨ１の平均値対本体高さＨＣＨの比は、次の不等式、即ち、０．０７＜Ｈ１ＡＶＧ／ＨＣＨ＜０．５０を満たしている。
【００２７】
一部の実施形態では、本体は、内部キャビティを画定し、本体は、次の不等式、即ち、１０ｃｃ＜Ｖ＜１２０ｃｃを満たす体積Ｖを有している。これらの実施形態の幾つかでは、本体は、次の不等式、即ち、４０ｃｃ＜Ｖ＜９０ｃｃを満たす体積Ｖを有している。これらの実施形態の幾つかでは、本体は、次の不等式、即ち、６０ｃｃ＜Ｖ＜８０ｃｃを満たす体積Ｖを有している。
【００２８】
一部の実施形態では、本体は、次の不等式、即ち、１５ｃｃ＜ＤＣＨ＜１００ｃｃを満たすクラブヘッド奥行ＤＣＨを画定している。これらの実施形態の幾つかでは、本体は、次の不等式、即ち、３０ｃｃ＜ＤＣＨ＜８０ｃｃを満たすクラブヘッド奥行を有している。これらの実施形態の幾つかでは、本体は、次の不等式、即ち、４０ｃｃ＜ＤＣＨ＜７０ｃｃを満たすクラブヘッド奥行を有している。
【００２９】
一部の実施形態では、充填材料が第１チャネルの中に配置されている。
【００３０】
第３の態様では、アイアン型式ゴルフクラブ用のクラブヘッドは、ヒール部分と、ソール部分と、トウ部分と、トップライン部分と、フェース部分と、を有する本体を含んでおり、ソール部分は、フェース部分の下端から後方へ延びている。フェース部分は、座標系の起点を画定している理想打球場所を含んでおり、当該座標系では、本体が通常のアドレス位置にあるとき、ｘ軸は理想打球場所におけるフェース部分に対する接線方向であって地平面に平行であり、ｙ軸はｘ軸に垂直に延び更に地平面に平行であり、ｚ軸は地平面に垂直に延びている。座標系では、正のｘ軸は起点からヒール部分の方へ延び、正のｙ軸は起点から後方へ延び、正のｚ軸は起点から上方へ延びている。ソール部分は、フェース部分に隣接して配置されている前方ソール領域と前方ソール領域の後方に配置されているソールバーとを含み、ソールバーは、実質的にソール部分のヒール−トウ方向に延びていてソールバーの底面に配置された第１チャネル開口部を有している第１チャネルを画定している。第１チャネルは第１チャネル長さＬ１を有し、本体はソール長さＬＢを有し、第１チャネル長さ対ソール長さの比は、次の不等式、即ち、０．３５＜Ｌ１／ＬＢ＜０．６７を満たしている。
【００３１】
一部の実施形態では、前方ソール領域は、前方ソール最小厚さＴＦＳを有する壁を画定し、ソールバーは、ソールバー最大厚さＴＳＢを有する本体を画定しており、而して０．０５＜ＴＦＳ／ＴＳＢ＜０．４である。
【００３２】
一部の実施形態では、０．８ｍｍ＜ＴＦＳ＜３．０ｍｍである。更に他の実施形態では、１．０ｍｍ＜ＴＦＳ＜２．５ｍｍである。
【００３３】
一部の実施形態では、第１チャネルは、地平面から第１チャネルの最上点までの垂直方向距離を備える第１チャネル深さＨ１を画定し、本体は、地平面から本体の最上点までの垂直方向距離を備える本体高さＨＣＨを画定し、中央領域内の第１チャネル深さＨ１の平均値対本体高さＨＣＨの比は、次の不等式、即ち、０．０７＜Ｈ１ＡＶＧ／ＨＣＨ＜０．５０を満たしている。
【００３４】
一部の実施形態では、本体は、内部キャビティを画定し、本体は、次の不等式、即ち、１０ｃｃ＜Ｖ＜１２０ｃｃを満たす体積Ｖを有している。これらの実施形態の幾つかでは、本体は、次の不等式、即ち、４０ｃｃ＜Ｖ＜９０ｃｃを満たす体積Ｖを有している。これらの実施形態の幾つかでは、本体は、次の不等式、即ち、６０ｃｃ＜Ｖ＜８０ｃｃを満たす体積Ｖを有している。
【００３５】
一部の実施形態では、本体は、次の不等式、即ち、１５ｃｃ＜ＤＣＨ＜１００ｃｃを満たすクラブヘッド奥行ＤＣＨを画定している。これらの実施形態の幾つかでは、本体は、次の不等式、即ち、３０ｃｃ＜ＤＣＨ＜８０ｃｃを満たすクラブヘッド奥行を有している。これらの実施形態の幾つかでは、本体は、次の不等式、即ち、４０ｃｃ＜ＤＣＨ＜７０ｃｃを満たすクラブヘッド奥行を有している。
【００３６】
一部の実施形態では、充填材料が第１チャネルの中に配置されている。
【００３７】
第４の態様では、アイアン型式ゴルフクラブ用のクラブヘッドは、ヒール部分と、ソール部分と、トウ部分と、トップライン部分と、フェース部分と、を有する本体を含んでおり、ソール部分は、フェース部分の下端から後方へ延びている。フェース部分は、座標系の起点を画定している理想打球場所を含んでおり、当該座標系では、本体が通常のアドレス位置にあるとき、ｘ軸は理想打球場所におけるフェース部分に対する接線方向であって地平面に平行であり、ｙ軸はｘ軸に垂直に延び更に地平面に平行であり、ｚ軸は地平面に垂直に延びている。座標系では、正のｘ軸は起点からヒール部分の方へ延び、正のｙ軸は起点から後方へ延び、正のｚ軸は起点から上方へ延びている。本体は、−２５ｍｍ＜ｘ＜２５ｍｍの中央領域を含んでいる。中央領域内に包含されているソール部分は、フェース部分に隣接して配置されている前方ソール領域と前方ソール領域の後方に配置されているソールバーとを含み、ソールバーは、実質的にソール部分のヒール−トウ方向に延びていてソールバーの底面に配置された第１チャネル開口部を有している第１チャネルを画定している。第１チャネルは、地平面から第１チャネルの最上点までの垂直方向距離を備える第１チャネル深さＨ１を画定し、本体は、地平面から本体の最上点までの垂直方向距離を備える本体高さＨＣＨを画定し、中央領域内の第１チャネル深さＨ１の平均値対本体高さＨＣＨの比は、次の不等式、即ち、０．０７＜Ｈ１ＡＶＧ／ＨＣＨ＜０．５０を満たしている。
【００３８】
一部の実施形態では、前方ソール領域は、前方ソール最小厚さＴＦＳを有する壁を画定し、ソールバーは、ソールバー最大厚さＴＳＢを有する本体を画定しており、而して０．０５＜ＴＦＳ／ＴＳＢ＜０．４である。
【００３９】
一部の実施形態では、０．８ｍｍ＜ＴＦＳ＜３．０ｍｍである。更に他の実施形態では、１．０ｍｍ＜ＴＦＳ＜２．５ｍｍである。
【００４０】
一部の実施形態では、第１チャネルは、第１チャネル長さＬ１を有し、本体は、ソール長さＬＢを有し、第１チャネル長さ対ソール長さの比は、次の不等式、即ち、０．３５＜Ｌ１／ＬＢ＜０．６７を満たしている。
【００４１】
一部の実施形態では、本体は、内部キャビティを画定し、本体は、次の不等式、即ち、１０ｃｃ＜Ｖ＜１２０ｃｃを満たす体積Ｖを有している。これらの実施形態の幾つかでは、本体は、次の不等式、即ち、４０ｃｃ＜Ｖ＜９０ｃｃを満たす体積Ｖを有している。これらの実施形態の幾つかでは、本体は、次の不等式、即ち、６０ｃｃ＜Ｖ＜８０ｃｃを満たす体積Ｖを有している。
【００４２】
一部の実施形態では、本体は、次の不等式、即ち、１５ｃｃ＜ＤＣＨ＜１００ｃｃを満たすクラブヘッド奥行ＤＣＨを画定している。これらの実施形態の幾つかでは、本体は、次の不等式、即ち、３０ｃｃ＜ＤＣＨ＜８０ｃｃを満たすクラブヘッド奥行を有している。これらの実施形態の幾つかでは、本体は、次の不等式、即ち、４０ｃｃ＜ＤＣＨ＜７０ｃｃを満たすクラブヘッド奥行を有している。
【００４３】
一部の実施形態では、充填材料が第１チャネルの中に配置されている。
【００４４】
第５の態様では、アイアン型式ゴルフクラブのセットは、少なくとも１本のアイアン型式ゴルフクラブの第１サブセットと、少なくとも１本のアイアン型式ゴルフクラブの第２サブセットを含んでいる。第１サブセットは、３０°以下のロフトと、フェース部分と、ヒール部分と、トウ部分と、ソール部分と、トップライン部分と、を有する少なくとも１つのクラブヘッドを含んでおり、ソール部分は、約１５ｍｍから約８５ｍｍの長さを有するスロット又はチャネルを備える可撓性境界構造を画定している。第２サブセットは、３０°より大きいロフトと、フェース部分と、ヒール部分と、トウ部分と、ソール部分と、トップライン部分と、を有する少なくとも１つのクラブヘッドを含んでおり、ソール部分は、約１５ｍｍから約８５ｍｍの長さを有するスロット又はチャネルを備える可撓性境界構造を有していない。
【００４５】
一部の実施形態では、第１サブセットは、少なくとも２本のゴルフクラブ、少なくとも３本のゴルフクラブ、少なくとも４本のゴルフクラブ、又は少なくとも５本のゴルフクラブ、を含んでいる。一部の実施形態では、第２サブセットは、少なくとも２本のゴルフクラブ、少なくとも３本のゴルフクラブ、少なくとも４本のゴルフクラブ、又は少なくとも５本のゴルフクラブ、を含んでいる。
【００４６】
一部の実施形態では、第１サブセットのゴルフクラブのそれぞれは、ヒール部分と、ソール部分と、トウ部分と、トップライン部分と、フェース部分と、を有する本体を含んでおり、ソール部分は、フェース部分の下端から後方へ延びている。フェース部分は、座標系の起点を画定している理想打球場所を含んでおり、当該座標系では、本体が通常のアドレス位置にあるとき、ｘ軸は理想打球場所におけるフェース部分に対する接線方向であって地平面に平行であり、ｙ軸はｘ軸に垂直に延び更に地平面に平行であり、ｚ軸は地平面に垂直に延びている。座標系では、正のｘ軸は起点からヒール部分の方へ延び、正のｙ軸は起点から後方へ延び、正のｚ軸は起点から上方へ延びている。本体は、−２５ｍｍ＜ｘ＜２５ｍｍの中央領域を含んでいる。中央領域内に包含されているソール部分は、フェース部分に隣接して配置されている前方ソール領域と前方ソール領域の後方に配置されているソールバーとを含み、前方ソール領域は、前方ソール最小厚さＴＦＳを有する壁を画定し、ソールバーは、ソールバー最大厚さＴＳＢを有する本体を画定しており、而して０．０５＜ＴＦＳ／ＴＳＢ＜０．４である。ソールバーは、実質的にソール部分のヒール−トウ方向に延びていてソールバーの底面に配置された第１チャネル開口部を有している第１チャネルを画定している。
【００４７】
一部の実施形態では、０．８ｍｍ＜ＴＦＳ＜３．０ｍｍである。更に他の実施形態では、１．０ｍｍ＜ＴＦＳ＜２．５ｍｍである。
【００４８】
一部の実施形態では、第１チャネルは、第１チャネル長さＬ１を有し、本体は、ソール長さＬＢを有し、第１チャネル長さ対ソール長さの比は、次の不等式、即ち、０．３５＜Ｌ１／ＬＢ＜０．６７を満たしている。
【００４９】
一部の実施形態では、第１チャネルは、地平面から第１チャネルの最上点までの垂直方向距離を備える第１チャネル深さＨ１を画定し、本体は、地平面から本体の最上点までの垂直方向距離を備える本体高さＨＣＨを画定し、中央領域内の第１チャネル深さＨ１の平均値対本体高さＨＣＨの比は、次の不等式、即ち、０．０７＜Ｈ１ＡＶＧ／ＨＣＨ＜０．５０を満たしている。
【００５０】
一部の実施形態では、第１チャネルは、第１チャネル中心線を画定し、フェース部分はフェース平面を画定している。これらの実施形態では、第１チャネル中心線とフェース平面の地平面への投影点が、フェースからチャネルまでの距離を画定し、ソール部分はソール幅を画定し、中央領域内のフェースからチャネルまでの距離の平均値Ｄ１対中央領域内のソール幅の平均値Ｄ３の比は、次の不等式、即ち、０．１３＜Ｄ１／Ｄ３＜０．６１を満たしている。
【００５１】
一部の実施形態では、本体は、内部キャビティを画定し、本体は、次の不等式、即ち、１０ｃｃ＜Ｖ＜１２０ｃｃを満たす体積Ｖを有している。これらの実施形態の幾つかでは、本体は、次の不等式、即ち、４０ｃｃ＜Ｖ＜９０ｃｃを満たす体積Ｖを有している。これらの実施形態の幾つかでは、本体は、次の不等式、即ち、６０ｃｃ＜Ｖ＜８０ｃｃを満たす体積Ｖを有している。
【００５２】
一部の実施形態では、本体は、次の不等式、即ち、１５ｃｃ＜ＤＣＨ＜１００ｃｃを満たすクラブヘッド奥行ＤＣＨを画定している。これらの実施形態の幾つかでは、本体は、次の不等式、即ち、３０ｃｃ＜ＤＣＨ＜８０ｃｃを満たすクラブヘッド奥行を有している。これらの実施形態の幾つかでは、本体は、次の不等式、即ち、４０ｃｃ＜ＤＣＨ＜７０ｃｃを満たすクラブヘッド奥行を有している。
【００５３】
第６の態様では、アイアン型式ゴルフクラブ用のクラブヘッドは、ヒール部分と、ソール部分と、トウ部分と、トップライン部分と、フェース部分と、を有する本体を含んでおり、前記ソール部分は前記フェース部分の下端から後方へ延びており、本体は更に後部ボイドを画定している。フェース部分は、座標系の起点を画定している理想打球場所を含んでおり、当該座標系では、本体が通常のアドレス位置にあるとき、ｘ軸は理想打球場所におけるフェース部分に対する接線方向であって地平面に平行であり、ｙ軸はｘ軸に垂直に延び更に地平面に平行であり、ｚ軸は地平面に垂直に延びている。座標系では、正のｘ軸は起点からヒール部分の方へ延び、正のｙ軸は起点から後方へ延び、正のｚ軸は起点から上方へ延びている。本体は、−２５ｍｍ＜ｘ＜２５ｍｍの中央領域を含んでいる。中央領域内に包含されているソール部分は、フェース部分に隣接して配置されている前方ソール領域と前方ソール領域の後方に配置されているソールバーとを含み、前方ソール領域は、前方ソール最小厚さＴＦＳを有する壁を画定し、ソールバーは、ソールバー最大厚さＴＳＢを有する本体を画定しており、而して０．０５＜ＴＦＳ／ＴＳＢ＜０．４である。ソール部分は、実質的にソール部分のヒール−トウ方向に延びているスロットを含んでおり、スロットは、ソール部分を貫いて後部ボイドの中へと延びている経路の部分を画定している。
【００５４】
一部の実施形態では、スロットは、スロットのトウ部分に最も近い部分とスロットのヒール領域に最も近い部分の間の距離を備えるスロット長さを有しており、スロット長さは、約１５ｍｍから約８５ｍｍである。
【００５５】
一部の実施形態では、０．８ｍｍ＜ＴＦＳ＜３．０ｍｍである。
【００５６】
一部の実施形態では、スロットはスロット長さＬ１を有し、本体はソール長さＬＢを有し、スロット長さ対ソール長さの比は、次の不等式、即ち、０．３５＜Ｌ１／ＬＢ＜０．６７を満たしている。
【００５７】
一部の実施形態では、本体は、内部キャビティを画定しており、本体は、次の不等式、即ち、１０ｃｃ＜Ｖ＜１２０ｃｃを満たす体積Ｖを有している。
【００５８】
一部の実施形態では、充填材料がスロットの中に配置されている。
【００５９】
一部の実施形態では、フェース部分はフェース平面を画定しており、経路は、少なくとも１ｍｍの長さを有していて前記フェース平面との平行度３０°以内の下経路角度を画定している下経路部分と、少なくとも１ｍｍの長さを有していて前記フェース平面に対する直角度３０°以内の中間経路角度を画定している中間経路部分と、少なくとも１ｍｍの長さを有していて前記フェース平面との平行度３０°以内の上経路角度を画定している上経路部分と、を含んでいる。
【００６０】
第７の態様では、アイアン型式ゴルフクラブ用のクラブヘッドは、ヒール部分と、ソール部分と、トウ部分と、トップライン部分と、フェース部分と、を有する本体を含んでおり、前記ソール部分は前記フェース部分の下端から後方へ延びており、本体は更に後部ボイドを画定している。フェース部分は、座標系の起点を画定している理想打球場所を含んでおり、当該座標系では、本体が通常のアドレス位置にあるとき、ｘ軸は理想打球場所におけるフェース部分に対する接線方向であって地平面に平行であり、ｙ軸はｘ軸に垂直に延び更に地平面に平行であり、ｚ軸は地平面に垂直に延びている。座標系では、正のｘ軸は起点からヒール部分の方へ延び、正のｙ軸は起点から後方へ延び、正のｚ軸は起点から上方へ延びている。本体は、−２５ｍｍ＜ｘ＜２５ｍｍの中央領域を含んでいる。中央領域内に包含されているソール部分は、フェース部分に隣接して配置されている前方ソール領域と前方ソール領域の後方に配置されているソールバーとを含み、前方ソール領域は、前方ソール最小厚さＴＦＳを有する壁を画定し、ソールバーは、ソールバー最大厚さＴＳＢを有する本体を画定している。ソール部分は、実質的にソール部分のヒール−トウ方向に延びているスロットを含んでおり、スロットは、ソール部分を貫いて後部ボイドの中へと延びている経路の部分を画定しており、経路は、少なくとも１ｍｍの長さを有していて前記フェース平面との平行度３０°以内の下経路角度を画定している下経路部分と、少なくとも１ｍｍの長さを有していて前記フェース平面に対する直角度３０°以内の中間経路角度を画定している中間経路部分と、少なくとも１ｍｍの長さを有していて前記フェース平面との平行度３０°以内の上経路角度を画定している上経路部分と、を含んでいる。
【００６１】
一部の実施形態では、スロットは、スロットのトウ部分に最も近い部分とスロットのヒール領域に最も近い部分の間の距離を備えるスロット長さを有しており、スロット長さは、約１５ｍｍから約８５ｍｍである。
【００６２】
一部の実施形態では、０．８ｍｍ＜ＴＦＳ＜３．０ｍｍである。
【００６３】
一部の実施形態では、スロットはスロット長さＬ１を有し、本体はソール長さＬＢを有し、スロット長さ対ソール長さの比は、次の不等式、即ち、０．３５＜Ｌ１／ＬＢ＜０．６７を満たしている。
【００６４】
一部の実施形態では、本体は、内部キャビティを画定しており、本体は、次の不等式、即ち、１０ｃｃ＜Ｖ＜１２０ｃｃを満たす体積Ｖを有している。
【００６５】
一部の実施形態では、充填材料がスロットの中に配置されている。
【００６６】
本願発明の実施形態は、例えば、以下の通りである。
［形態１］
アイアン型式ゴルフクラブ用のクラブヘッドであって、
ヒール部分と、ソール部分と、トウ部分と、トップライン部分と、フェース部分と、を有していて前記ソール部分が前記フェース部分の下端から後方へ延びている本体、を備えているクラブヘッドにおいて、
前記フェース部分は、座標系の起点を画定している理想打球場所を含んでおり、当該座標系では、前記本体が通常のアドレス位置にあるとき、ｘ軸は前記理想打球場所における前記フェース部分に対する接線方向であって地平面に平行であり、ｙ軸は前記ｘ軸に垂直に延び更に前記地平面に平行であり、ｚ軸は前記地平面に垂直に延びており、正のｘ軸は前記起点から前記ヒール部分の方へ延び、正のｙ軸は前記起点から後方へ延び、正のｚ軸は前記起点から上方へ延びており、
前記本体は、−２５ｍｍ＜ｘ＜２５ｍｍの中央領域を含んでおり、
前記中央領域内に包含されている前記ソール部分は、前記フェース部分に隣接して配置されている前方ソール領域と前記前方ソール領域の後方に配置されているソールバーとを含み、前記前方ソール領域は前方ソール最小厚さＴＦＳを有する壁を画定し、前記ソールバーはソールバー最大厚さＴＳＢを有する本体を画定しており、而して０．０５＜ＴＦＳ／ＴＳＢ＜０．４であり、
前記ソールバーは、実質的に前記ソール部分のヒール−トウ方向に延びていて前記ソールバーの底面に配置された第１チャネル開口部を有している第１チャネルを画定している、クラブヘッド。
［形態２］
前記第１チャネルは、当該第１チャネルの前記トウ部分に最も近い部分と当該第１チャネルの前記ヒール領域に最も近い部分の間の距離を備える第１チャネル長さを有しており、前記第１チャネル長さは約１５ｍｍから約６２ｍｍである、形態１に記載のクラブヘッド。
［形態３］
前記第１チャネルは、前記地平面と当該第１チャネルの最上点の間の垂直方向距離を備える第１チャネル深さを有しており、前記中央領域内の前記第１チャネル深さの平均は約５ｍｍから約２５ｍｍである、形態１に記載のクラブヘッド。
［形態４］
０．８ｍｍ＜ＴＦＳ＜３．０ｍｍである、形態１に記載のクラブヘッド。
［形態５］
１．０ｍｍ＜ＴＦＳ＜２．５ｍｍである、形態１に記載のクラブヘッド。
［形態６］
前記第１チャネルは第１チャネル長さＬ１を有し、
前記本体はソール長さＬＢを有し、
前記第１チャネル長さ対前記ソール長さの比は、次の不等式、即ち、０．３５＜Ｌ１／ＬＢ＜０．６７を満たしている、形態１に記載のクラブヘッド。
［形態７］
前記第１チャネルは、前記地平面から当該第１チャネルの最上点までの垂直方向距離を備える第１チャネル深さＨ１を画定し、
前記本体は、前記地平面から当該本体の最上点までの垂直方向距離を備える本体高さＨＣＨを画定し、
前記中央領域内の前記第１チャネル深さＨ１の平均値対前記本体高さＨＣＨの比は、次の不等式、即ち、０．０７＜Ｈ１ＡＶＧ／ＨＣＨ＜０．５０を満たしている、形態１に記載のクラブヘッド。
［形態８］
前記第１チャネルは、第１チャネル中心線を画定し、前記フェース部分はフェース平面を画定しており、前記第１チャネル中心線と前記フェース平面の前記地平面への投影点が、フェースからチャネルまでの距離を画定し、
前記ソール部分はソール幅を画定し、
前記中央領域内の前記フェースからチャネルまでの距離の平均値Ｄ１対前記中央領域内の前記ソール幅の平均値Ｄ３の比は、次の不等式、即ち、０．１３＜Ｄ１／Ｄ３＜０．６１を満たしている、形態１に記載のクラブヘッド。
［形態９］
前記本体は、内部キャビティを画定し、前記本体は、次の不等式、即ち、１０ｃｃ＜Ｖ＜１２０ｃｃを満たす体積Ｖを有している、形態１に記載のクラブヘッド。
［形態１０］
前記第１チャネルの中の充填材を更に備えている、形態１に記載のクラブヘッド。
［形態１１］
アイアン型式ゴルフクラブ用のクラブヘッドであって、
ヒール部分と、ソール部分と、トウ部分と、トップライン部分と、フェース部分と、を有していて前記ソール部分が前記フェース部分の下端から後方へ延びている本体であって、更に後部ボイドを画定している本体、を備えているクラブヘッドにおいて、
前記フェース部分は、座標系の起点を画定している理想打球場所を含んでおり、当該座標系では、前記本体が通常のアドレス位置にあるとき、ｘ軸は前記理想打球場所における前記フェース部分に対する接線方向であって地平面に平行であり、ｙ軸は前記ｘ軸に垂直に延び更に前記地平面に平行であり、ｚ軸は前記地平面に垂直に延びており、正のｘ軸は前記起点から前記ヒール部分の方へ延び、正のｙ軸は前記起点から後方へ延び、正のｚ軸は前記起点から上方へ延びており、
前記本体は、−２５ｍｍ＜ｘ＜２５ｍｍの中央領域を含んでおり、
前記中央領域内に包含されている前記ソール部分は、前記フェース部分に隣接して配置されている前方ソール領域と前記前方ソール領域の後方に配置されているソールバーとを含み、前記前方ソール領域は、前方ソール最小厚さＴＦＳを有する壁を画定し、前記ソールバーは、ソールバー最大厚さＴＳＢを有する本体を画定しており、而して０．０５＜ＴＦＳ／ＴＳＢ＜０．４であり、
前記ソール部分は、実質的に前記ソール部分のヒール−トウ方向に延びているスロットを含んでおり、前記スロットは、前記ソール部分を貫いて前記後部ボイドの中へと延びている経路の部分を画定している、クラブヘッド。
［形態１２］
前記スロットは、当該スロットの前記トウ部分に最も近い部分と当該スロットの前記ヒール領域に最も近い部分の間の距離を備えるスロット長さを有しており、前記スロット長さは、約１５ｍｍから約８５ｍｍである、形態１１に記載のクラブヘッド。
［形態１３］
０．８ｍｍ＜ＴＦＳ＜３．０ｍｍである、形態１１に記載のクラブヘッド。
［形態１４］
前記スロットはスロット長さＬ１を有し、
前記本体はソール長さＬＢを有し、
前記スロット長さ対前記ソール長さの比は、次の不等式、即ち、０．３５＜Ｌ１／ＬＢ＜０．６７を満たしている、形態１１に記載のクラブヘッド。
［形態１５］
前記本体は、内部キャビティを画定しており、前記本体は、次の不等式、即ち、１０ｃｃ＜Ｖ＜１２０ｃｃを満たす体積Ｖを有している、形態１１に記載のクラブヘッド。
［形態１６］
前記スロットの中の充填材料を更に備えている、形態１１に記載のクラブヘッド。
［形態１７］
前記フェース部分はフェース平面を画定しており、前記経路は、
少なくとも１ｍｍの長さを有していて前記フェース平面との平行度３０°以内の下経路角度を画定している下経路部分と、
少なくとも１ｍｍの長さを有していて前記フェース平面に対する直角度３０°以内の中間経路角度を画定している中間経路部分と、
少なくとも１ｍｍの長さを有していて前記フェース平面との平行度３０°以内の上経路角度を画定している上経路部分と、を備えている、形態１１に記載のクラブヘッド。
［形態１８］
アイアン型式ゴルフクラブ用のクラブヘッドであって、
ヒール部分と、ソール部分と、トウ部分と、トップライン部分と、フェース部分と、を有していて前記ソール部分が前記フェース部分の下端から後方へ延びている本体であって、更に後部ボイドを画定している本体、を備えているクラブヘッドにおいて、
前記フェース部分は、座標系の起点を画定している理想打球場所を含んでおり、当該座標系では、前記本体が通常のアドレス位置にあるとき、ｘ軸は前記理想打球場所における前記フェース部分に対する接線方向であって地平面に平行であり、ｙ軸は前記ｘ軸に垂直に延び更に前記地平面に平行であり、ｚ軸は前記地平面に垂直に延びており、正のｘ軸は前記起点から前記ヒール部分の方へ延び、正のｙ軸は前記起点から後方へ延び、正のｚ軸は前記起点から上方へ延びており、
前記本体は、−２５ｍｍ＜ｘ＜２５ｍｍの中央領域を含んでおり、
前記中央領域内に包含されている前記ソール部分は、前記フェース部分に隣接して配置されている前方ソール領域と前記前方ソール領域の後方に配置されているソールバーとを含み、前記前方ソール領域は、前方ソール最小厚さＴＦＳを有する壁を画定し、前記ソールバーは、ソールバー最大厚さＴＳＢを有する本体を画定しており、
前記ソール部分は、実質的に前記ソール部分のヒール−トウ方向に延びているスロットを含んでおり、前記スロットは、前記ソール部分を貫いて前記後部ボイドの中へと延びている経路の部分を画定しており、前記経路は、
少なくとも１ｍｍの長さを有していて前記フェース平面との平行度３０°以内の下経路角度を画定している下経路部分と、
少なくとも１ｍｍの長さを有していて前記フェース平面に対する直角度３０°以内の中間経路角度を画定している中間経路部分と、
少なくとも１ｍｍの長さを有していて前記フェース平面との平行度３０°以内の上経路角を画定している上経路部分と、を含んでいる、クラブヘッド。
［形態１９］
前記スロットは、当該スロットの前記トウ部分に最も近い部分と当該スロットの前記ヒール領域に最も近い部分の間の距離を備えるスロット長さを有しており、前記スロット長さは、約１５ｍｍから約８５ｍｍである、形態１８に記載のクラブヘッド。
［形態２０］
０．８ｍｍ＜ＴＦＳ＜３．０ｍｍである、形態１８に記載のクラブヘッド。
［形態２１］
前記スロットはスロット長さＬ１を有し、
前記本体はソール長さＬＢを有し、
前記スロット長さ対前記ソール長さの比は、次の不等式、即ち、０．３５＜Ｌ１／ＬＢ＜０．６７を満たしている、形態１８に記載のクラブヘッド。
［形態２２］
前記本体は、内部キャビティを画定しており、前記本体は、次の不等式、即ち、１０ｃｃ＜Ｖ＜１２０ｃｃを満たす体積Ｖを有している、形態１８に記載のクラブヘッド。
［形態２３］
前記スロットの中の充填材料を更に備えている、形態１８に記載のクラブヘッド。
ここに記載されているゴルフクラブヘッドの上記及び他の特徴と利点は、添付図面に関連付けて進められる以下の詳細な説明から更に明白になるであろう。
【００６７】
本発明は、添付図面の図中に、限定としてではなく一例として示されており、図面では同様の符号は類似要素を指し示している。
【図面の簡単な説明】
【００６８】
【図１Ａ】ゴルフクラブヘッドの或る実施形態の前面図である。
【図１Ｂ】ゴルフクラブヘッドの、トウを立面視している斜視図である。
【図１Ｃ】中空クラブヘッドの或る実施形態を示している、図１Ａの１Ｂ−１Ｂ切断線に沿った断面図である。
【図１Ｄ】キャビティバッククラブヘッドの或る実施形態を示している、図１Ａの１Ｂ−１Ｂ切断線に沿った面図である。
【図１Ｅ】中空クラブヘッドの別の実施形態を示している、図１Ａの１Ｂ−１Ｂ切断線に沿った断面図である。
【図１Ｆ】図１Ｅに示されている中空クラブヘッドの実施形態の一部分を示している断面図である。
【図２Ａ】ゴルフクラブヘッドの或る実施形態の底面斜視図である。
【図２Ｂ】図２Ａに示されているゴルフクラブヘッドのソールの底面図である。
【図２Ｃ】図２Ａに示されているゴルフクラブヘッドの断面図である。
【図２Ｄ】クラブヘッドの、チャネルの領域を包囲及び包含している部分の外側面の外形の略図である。
【図２Ｅ】クラブヘッドの、チャネルの領域を包囲及び包含している部分の外側面の外形の略図である。
【図２Ｆ】ゴルフクラブヘッドの或る実施形態のチャネル領域の断面図である。
【図２Ｇ】ゴルフクラブヘッドの或る実施形態のチャネル領域の断面図である。
【図２Ｈ】ゴルフクラブヘッドの或る実施形態のチャネル領域の断面図である。
【図３Ａ】例示としてのゴルフクラブヘッドの断面図である。
【図３Ｂ】例示としてのゴルフクラブヘッドの断面図である。
【図４Ａ】例示としてのゴルフクラブヘッドの断面図である。
【図４Ｂ】例示としてのゴルフクラブヘッドの断面図である。
【図５Ａ】例示としてのゴルフクラブヘッドの断面図である。
【図５Ｂ】例示としてのゴルフクラブヘッドの断面図である。
【図６Ａ】例示としてのゴルフクラブヘッドのソールの底面図である。
【図６Ｂ】例示としてのゴルフクラブヘッドのソールの底面図である。
【図７Ａ】例示としてのゴルフクラブヘッドの断面図である。
【図７Ｂ】例示としてのゴルフクラブヘッドの断面図である。
【図８Ａ】例示としてのゴルフクラブヘッドの断面図である。
【図８Ｂ】例示としてのゴルフクラブヘッドの断面図である。
【図９】例示としてのゴルフクラブヘッドの断面図である。
【図１０Ａ】例示としてのゴルフクラブヘッドのソールの底面図である。
【図１０Ｂ】図１０Ａに示されているゴルフクラブヘッドの断面図である。
【図１１Ａ】例示としてのゴルフクラブヘッドのソールの底面図である。
【図１１Ｂ】例示としてのゴルフクラブヘッドのソールの底面図である。
【図１１Ｃ】例示としてのゴルフクラブヘッドのソールの底面図である。
【図１１Ｄ】例示としてのゴルフクラブヘッドのソールの底面図である。
【図１１Ｅ】例示としてのゴルフクラブヘッドのソールの底面図である。
【図１１Ｆ】例示としてのゴルフクラブヘッドのソールの底面図である。
【図１１Ｇ】例示としてのゴルフクラブヘッドのソールの底面図である。
【図１１Ｈ】例示としてのゴルフクラブヘッドのソールの底面図である。
【図１１Ｉ】例示としてのゴルフクラブヘッドのソールの底面図である。
【図１１Ｊ】例示としてのゴルフクラブヘッドのソールの底面図である。
【図１２Ａ】例示としてのゴルフクラブヘッドの、トウを立面視している斜視図である。
【図１２Ｂ】例示としてのゴルフクラブヘッドの、トウを立面視している斜視図である。
【図１２Ｃ】例示としてのゴルフクラブヘッドの、トウを立面視している斜視図である。
【図１３】例示としてのゴルフクラブヘッドの前面図であり、打球面へ投影された一対のチャネルの略図を含んでいる。
【図１４Ａ】追加の例示としてのゴルフクラブヘッドの前面図であり、打球面へ投影されたチャネルの略図を含んでいる。
【図１４Ｂ】追加の例示としてのゴルフクラブヘッドの前面図であり、打球面へ投影されたチャネルの略図を含んでいる。
【図１４Ｃ】追加の例示としてのゴルフクラブヘッドの前面図であり、打球面へ投影されたチャネルの略図を含んでいる。
【図１５Ａ】例示としてのゴルフクラブヘッドの断面図である。
【図１５Ｂ】例示としてのゴルフクラブヘッドの断面図である。
【図１５Ｃ】例示としてのゴルフクラブヘッドの断面図である。
【図１６】ゴルフクラブセットの或る実施形態の描画である。
【図１７Ａ】ゴルフクラブヘッドの別の実施形態の断面図である。
【図１７Ｂ】図１７Ａに示されているゴルフクラブヘッドの一部分の近景断面図である。
【図１８Ａ】ゴルフクラブヘッドの１つの実施形態の、図１７Ｂの１８−１８切断線に沿った断面図である。
【図１８Ｂ】ゴルフクラブヘッドのもう１つの実施形態の、図１７Ｂの１８−１８切断線に沿った断面図である。
【図１８Ｃ】図１８Ａに示されているゴルフクラブヘッドの切り抜き又は窓の近景図である。
【図１９Ａ】ゴルフクラブヘッドの別の実施形態の断面図である。
【図１９Ｂ】図１９Ａに示されているゴルフクラブヘッドの一部分の近景断面図である。
【図１９Ｃ】充填材料を含んでいるスロットを有するゴルフクラブヘッドの近景断面図である。
【図２０Ａ】ゴルフクラブヘッドの別の実施形態の断面図である。
【図２０Ｂ】図２０Ａに示されているゴルフクラブヘッドの一部分の近景断面図である。
【発明を実施するための形態】
【００６９】
本発明の様々な実施形態及び態様を、以下に論じられている詳細事項に関連付けて説明してゆくものであり、添付図面は当該の様々な実施形態を描いている。次に続く詳細な説明及び図面は、本発明を説明することが目的であり、本発明を限定するものと解釈されてはならない。本発明の様々な実施形態の十分な理解がもたらされるように、多数の具体的な詳細事項を記述している。しかしながら、本発明の実施形態の簡明な考察を提供するために、場合に依っては、周知の又は従来の詳細事項は記述されていない。
【００７０】
ここでの使用に際し、「反発係数」、「ＣＯＲ」、「相対反発係数」、「相対ＣＯＲ」、「特性時間（Characteristic Time）」、及び「ＣＴ」という用語は、下記に従って定義されている。アイアンクラブヘッドの反発係数（ＣＯＲ）は、２００５年１１月３０日付け１．２改訂版「基線板に対するアイアンクラブヘッドの反発係数を測定するための暫定手順（Interim Procedure for Measuring the Coefficient of Restitution of an Iron Clubhead Relative to a Baseline Plate）」に規定されているＵＳＧＡゴルフ規則によって記されている手順（これ以後は「ＵＳＧＡ  ＣＯＲ手順」）に従って測定されている。具体的には、基線較正板のＣＯＲ値を最初に求め、次いでアイアンクラブヘッドのＣＯＲ値を、基線板較正で使用したのと同じ（単数又は複数の）ダースからのゴルフボールを使用して求める。次に、測定された較正板ＣＯＲを測定されたアイアンクラブヘッドＣＯＲから差し引いてアイアンクラブヘッドの「相対ＣＯＲ」を得る。
【００７１】
例を挙げて説明すると、ＵＳＧＡ  ＣＯＲ手順に従い、ゴルフボールの所与のセットで、基線較正板の測定ＣＯＲ値が０．８４５であったとする。ゴルフボールの同じセットを使用して、アイアンクラブヘッドは測定ＣＯＲ値が０．８２５であったとする。この例では、アイアンクラブヘッドの相対ＣＯＲは、０．８２５−０．８４５＝−０．０２０である。このアイアンクラブヘッドは、基線較正板のＣＯＲより０．０２０低いＣＯＲ即ち−０．０２０の相対ＣＯＲを有することになる。
【００７２】
特性時間（ＣＴ）は、ＵＳＧＡクラブ適合基準によって定められている条件下に、ゴルフクラブヘッドのフェース中心を低速度で打つペンジュラムに取り付けられている金属塊との間の接触時間である。
【００７３】
ここでの使用に際し、「体積」という用語がゴルフクラブヘッドに言及するのに使用されている場合、それは、全米ゴルフ協会（ＵＳＧＡ）及びＲ＆Ａルールズ・リミテッドによって２００３年１１月２１日に公告されている１．０．０改訂版「ウッドクラブのクラブヘッド寸法を測定するための手順（Procedure For Measuring the Clubhead Size of Wood Clubs）」の第５．０条に記載されている手順に従って測定されたクラブヘッド体積を指す。上記手順には、クラブヘッドを大容量の水の容器中に沈めることが含まれている。中空アイアン型式クラブヘッドの体積測定の場合、クラブヘッドの壁の何らかの穴又は開口部は、クラブヘッドを水中に降下させる前に覆われるか又はそれ以外のやり方でシールされるものとする。
【００７４】
１．アイアン型式ゴルフクラブヘッド
図１Ａは、ヒール１０２と、トウ１０４と、ソール部分１０８と、トップライン部分１０６と、ホーゼル１１４と、を有する本体１１３を含むアイアン型式ゴルフクラブヘッド１００を描いている。ゴルフクラブヘッド１００は、図１Ａには、通常のアドレス位置にあってソール部分１０８が完全に平坦であると想定される地平面１１１に載っている状態が示されている。ここでの使用に際し、「通常のアドレス位置」は、クラブフェースの中心に垂直なベクトルが実質的に第１垂直方向平面（即ち、垂直方向の平面とは地平面１１１に垂直である）に在り、ホーゼル１１４の中心軸１１５が実質的に第２垂直方向平面に在り、第１垂直方向平面と第２垂直方向平面が実質的に直角に交わっている、クラブヘッド位置を意味する。クラブフェースの中心は、２００５年３月２５日付け２．０改訂版ＵＳＧＡ「ゴルフクラブヘッドの可撓性を測定するための手順（Procedure for Measuring the Flexibility of a Golf Clubhead）」に記載されている手順を使って求められている。
【００７５】
地平面１１１に対し４５°の角度を成す線１９１の、クラブヘッド１００の外側面への下接点１９０は、ソール部分１０８とトウ１０４の間の分離境界を画定している。同様に、地平面１１１に対し４５°の角度を成す線１９３の、クラブヘッド１００の外側面への上接点１９２は、地平面１１１に対して４５度の角度を形成している線１９３の上接点１９２は、トップライン部分１０６とトウ１０４の間の分離境界を画定している。言い換えれば、クラブヘッドの下接点１９０より上の（図１Ａで見て）左側及び上接点１９２より下の（図１Ａで見て）左側の部分がトウ部分１０４である。
【００７６】
打球面１１０は、フェース平面１２５を画定しており、ゴルフボールとの衝突に備えて設計された溝１１２を含んでいる。一部の実施形態では、ゴルフクラブヘッド１００は、単一の単体鋳造品とすることができ、一方、他の実施形態では、打球板を別個に形成して、ゴルフクラブヘッド１００の本体１１３へ接着又は機械加工で取り付けてもよい。
【００７７】
図１Ａ及び図１Ｂは、更に、打球面１１０上の各々の直交するＣＧ軸上の理想打球場所１０１を示している。ここでの使用に際し、理想打球場所１０１は、フェース平面１２５内に位置していて、ゴルフクラブヘッドのＣＧｘ軸１０５（即ち、ＣＧ−ｘ）に沿った重心（ＣＧ）の場所と一致し、図１Ｂに示されている様に、フェース平面１２５内でリーディングエッジ１４２（ソール部分１０８とフェース平面１２５を接続する半径の中点と定義される）から１６．５ｍｍの距離ｄだけオフセットしている。ＣＧｘ軸１０５とＣＧｙ軸１０７とＣＧｚ軸１０３は理想打球場所１０１で交わり、直交するＣＧ軸の起点を画定している。ゴルフクラブヘッド１００が通常のアドレス位置にある状態で、ＣＧｘ軸１０５は、地平面１１１に平行であり、打球面１１０の理想打球場所１０１から延びる法線に垂直の向きにある。ＣＧｙ軸１０７も、地平面に平行であり、ＣＧｘ軸１０５に垂直である。ＣＧｚ軸１０３は、地平面に垂直の向きにある。加えて、ＣＧｚ上方軸１０９は、地平面１１１に垂直で、地平面１１１に起点を有する軸と定義されている。
【００７８】
一部の特定の実施形態では、望ましいＣＧ−ｙ場所は、ＣＧｙ軸１０７に沿ってクラブヘッドの後方部分に向かって約０．２５ｍｍから約２０ｍｍの間である。更に、望ましいＣＧ−ｚ場所は、先に説明されている様に、ＣＧｚ上方軸１０９に沿って約１２ｍｍから約２５ｍｍの間である。
【００７９】
ゴルフクラブヘッドは、中実（即ち「ブレード」及び「マッスルバック」）、中空、キャビティバック、又は他の構造であってもよい。図１Ｃは、中空構造を有するゴルフクラブヘッドの或る実施形態の、図１Ａに示されている１Ｃ−１Ｃ切断線に沿った切断側面図を示している。図１Ｄは、キャビティバック構造を有するゴルフクラブヘッドの或る実施形態の１Ｄ−１Ｄ切断線に沿った切断側面図を示している。１Ｃ，１Ｄ−１Ｃ，１Ｄ切断線は、打球面１１０の理想打球場所１０１を通っている。打球面１１０は、前面１１０ａと後面１１０ｂを含んでいる。中空アイアンゴルフクラブヘッドとキャビティバックアイアンゴルフクラブヘッドの実施形態はどちらも、更に、背部分１２８と前部分１３０を含んでいる。
【００８０】
図１Ａ−図１Ｄに示されている実施形態では、打球面１１０には、溝１１２が、ＣＧｘ軸に沿って理想打球場所１０１周りに中心を合わせるようにして、即ち、理想打球場所１０１が打球面平面１２５内の最も長いスコアライン溝１１２に垂直で且つその中点を通る仮想線上に位置するようにして、配置されている。他の実施形態（図面には示されていない）では、溝１１２はＣＧｘ軸に沿って理想打球場所１０１に対してトウ側又はヒール側へずらされていてもよいし、溝１１２は地平面１１１に平行でない軸に沿って整列していてもよいし、溝１１２はそれらの長さに沿って途切れを有していてもよいし、又は、溝は全く存在していなくてもよい。打球面１１０の表面の溝１１２の更に他の形状、整列、及び／又は向きも実施可能であろう。
【００８１】
図１Ａを参照すると、クラブヘッド１００は、ソール長さＬＢとクラブヘッド高さＨＣＨを有している。ソール長さＬＢは、地平面１１１へ投影された２点間の距離と定義されている。ソールのヒール側１１６は、ホーゼル軸１１５を地平面１１１へ投影した交点と定義されている。ソールのトウ側１１７は、下接点１９０（上述）を地平面１１１へ垂直方向に投影した交点と定義されている。ソールのヒール側１１６とトウ側１１７の間の距離が、クラブヘッドのソール長さＬＢである。クラブヘッド高さＨＣＨは、図１Ａに示されている様に、地平面１１１とｘ−ｚ平面内の投影されたクラブヘッドの最上点の間の距離と定義されている。
【００８２】
図１Ｂは、上述の、背部分１２８、前部分１３０、ソール部分１０８、トップライン部分１０６、及び打球面１１０、を含むゴルフクラブヘッド１００の、トウを立面視した図を描いている。リーディングエッジ１４２は、フェース平面１２５とソール部分１０８を接続する半径の中点によって画定されている。クラブヘッドは、クラブヘッドの前−後方向の奥行ＤＣＨを含んでおり、奥行は地平面１１１へ投影された２点間の距離である。クラブヘッドの前方端１１８は、リーディングエッジ１４２を地平面１１１へ投影した交点と定義されている。クラブヘッドの後方端１１９は、クラブヘッドの（ｙ−ｚ平面で見て）最も後方の点を地平面１１１へ投影した交点と定義されている。クラブヘッドの前方端１１８と後方端１１９の間の距離が、クラブヘッド奥行ＤＣＨである。
【００８３】
図１Ｃに示されている実施形態の様な、中空構造を有するアイアン型式ゴルフクラブヘッドの一部の特定の実施形態では、クラブヘッドの背部分１２８の後部突起１３８より上に陥凹部１３４が配置されている。背壁１３２が、クラブヘッドの背部分１２８全体を包封して内部キャビティ１２０を画定している。内部キャビティ１２０は、完全に又は部分的に中空であってもよいし、又は随意的に充填材料が詰められていてもよい。図１Ｃに示されている実施形態では、内部キャビティ１２０は、打球面の後面１１０ｂと背壁の内側面１３２ｂの間に保持されている振動減衰プラグ１２１を含んでいる。適した充填材料並びにプラグ１２１の性質及び構成材料に関連する詳細事項は、米国特許出願公開第２０１１／００２８２４０号に記載されており、同特許出願を参考文献としてここに援用する。
【００８４】
図１Ｃは、更に、外側背壁面１３２ａの一部に亘って延びていて上凹部と下凹部を形成している随意的な畝１３６を示している。内側背壁面１３２ｂは、キャビティ１２０の一部分を画定していて、外側背壁面１３２ａと内側背壁面１３２ｂの間の厚さを形成している。一部の実施形態では、背壁厚さは、約０．５ｍｍから約４ｍｍの厚さの間で変化している。クラブヘッド１００の下後方部分にはソールバー１３５が配置されている。ソールバー１３５は、打球板及びクラブヘッド１００の他の部分に対比して相対的に大きい厚さを有し、ひいてはクラブヘッド１００の質量の相当部分を占めており、その結果、クラブヘッド１００の重心（ＣＧ）は相対的に下後方に寄っている。ソールバー１３５にはチャネル１５０―後段で詳述―が形成されている。また、ソール部分１０８は、打球面１１０に隣接してその後方に配置されている前方部分１４４を有している。図１Ｃに示されている実施形態では、ソールの前方部分１４４は、チャネル１５０と打球面１１０の間の領域内に延びているソールの比較的薄肉の壁部分である。
【００８５】
図１Ｄは、更に、キャビティバックゴルフクラブヘッド１００のソールバー１３５を示している。ソールバー１３５は、打球板及びゴルフクラブヘッド１００の他の部分に対比して相対的に大きい厚さを有し、ひいてはクラブヘッド１００の質量の相当部分を占めており、その結果、クラブヘッド１００の重心（ＣＧ）は相対的に下後方に寄っている。図１Ｄに示されている実施形態は、更に、ソールの前方部分１４４であって、削減されたソール厚さを有していてソールバー１３５と打球面１１０の間に延びている前方部分１４４を含んでいる。ソールバー１３５の前方領域には、チャネル１５０―後段で詳述―が配置されている。
【００８６】
図１Ｅは、チャネル１５０を有する中空アイアンクラブヘッド１００の別の実施形態を示している。図１Ｃに示されている実施形態と同じ様に、クラブヘッド１００は、打球面１１０、トップライン１０６、ソール１０８、及び背壁１３２を含んでいる。ソールは、前方壁１５２と後方壁１５４によって画定されているチャネル１５０を有するソールバー１３５を含んでいる。ソールの前方部分１４４が、打球面１１０とスロットの前方壁１５２の間に配置されている。中空クラブヘッド１００は、図１Ｃに示されている様な振動減衰プラグ１２１を設置するのに適した開口１３３を含んでおり、それについては米国特許出願公開第２０１１／００２８２４０号に更に詳細に記載されており、同特許出願を参考文献として援用する。振動減衰プラグ１２１の設置により、開口１３３は有効にシールされる。
【００８７】
一部の実施形態では、中空アイアンクラブヘッド１００の体積は、約１０立方センチメートル（ＣＣ）から約１２０ｃｃの間であってもよい。例えば、一部の実施形態では、中空アイアンクラブヘッド１００は、約２０ｃｃから約１１０ｃｃの間の体積、例えば、約３０ｃｃから約１００ｃｃの間、約４０ｃｃから約９０ｃｃの間、約５０ｃｃから約８０ｃｃの間、約６０ｃｃから約８０ｃｃの間、などの体積を有していてもよい。加えて、一部の実施形態では、中空アイアンクラブヘッド１００は、約１５ｍｍから約１００ｍｍの間のクラブヘッド奥行ＤＣＨを有している。例えば、一部の実施形態では、中空アイアンクラブヘッド１００は、約２０ｍｍから約９０ｍｍの間のクラブヘッド奥行ＤＣＨ、例えば、約３０ｍｍから約８０ｍｍの間、約４０ｍｍから約７０ｍｍの間、などの奥行を有していてもよい。
【００８８】
ゴルフクラブヘッドの本体１１３へ取り付けられている別体の打球板を含んでいるゴルフクラブヘッド１００の一部の特定の実施形態では、打球板は、鍛造マルエージング鋼、マルエージングステンレス鋼、又は析出硬化（ＰＨ）ステンレス鋼、で形成することができる。概して、マルエージング鋼は、高い強度、硬度、及び展性を有している。マルエージング鋼は、炭素が少ないため、それらの強度を炭素以外の金属間物質の析出から引き出している。基本的な合金化元素は、ニッケルである（１５％乃至ほぼ３０％）。これらの鋼に金属間析出物を作り出す他の合金化元素には、コバルト、モリブデン、及びチタンが挙げられる。１つの実施形態では、マルエージング鋼はニッケルを１８％含有している。マルエージングステンレス鋼は、ニッケルがマルエージング鋼よりも少ないが、サビを防げる相当量のクロムを含んでいる。ニッケル含有量が削られているにもかかわらず、クロムが焼入性を増強し、確実に、鋼をそれが適切に熱処理されたときにマルテンサイトへ変態させる。別の実施形態では、打球板としてマルエージングステンレス鋼Ｃ４５５が利用されている。他の実施形態では、打球板は、１７−４、１７−５、又は１７−７の様な析出硬化ステンレス鋼である。
【００８９】
打球板は、上記材料の何れかを順送型の一連の金型で使用する熱圧鍛造によって鍛造することができる。鍛造後、打球板には熱処理が施される。例えば、１７−４ＰＨステンレス鋼鍛造品は、１０４０℃で９０分間熱処理され、次いで溶液焼き入れされる。別の例では、Ｃ４５５又はＣ４５０ステンレス鋼鍛造品は、８３０℃で９０分間溶液熱処理され、次いで焼き入れされる。
【００９０】
一部の実施形態では、ゴルフクラブヘッドの本体１１３は、１７−４鋼で作られている。しかしながら、炭素鋼（例えば、１０２０、１０３０、８６２０、又は１０４０炭素鋼）、クロム−モリブデン鋼（例えば、４１４０Ｃｒ−Ｍｏ鋼）、Ｎｉ−Ｃｒ−Ｍｏ鋼（例えば、８６２０Ｎｉ−Ｃｒ−Ｍｏ鋼）、オーステナイト系ステンレス鋼（例えば、３０４、Ｎ５０、又はＮ６０ステンレス鋼（例えば、４１０ステンレス鋼））の様な別の材料を使用することもできる。
【００９１】
以上に記されているものに加え、説明されている諸部分の構成要素を形成するのに使用することのできる金属及び合金の一部の例には、限定するわけではないが、チタン合金（例えば、３−２．５、６−４、ＳＰ７００、１５−３−３−３、１０−２−３、又は他のアルファ／ニアアルファ、アルファ−ベータ、及びベータ／ニアベータのチタン合金）、アルミニウム／アルミニウム合金（例えば、３０００番台合金、５０００番台合金、６０６１−Ｔ６の様な６０００番台合金、及び、７０７５の様な７０００番台合金）、マグネシウム合金、銅合金、及びニッケル合金が挙げられる。
【００９２】
更に他の実施形態では、ゴルフクラブヘッドの本体１１３及び／又は打球板は、繊維補強ポリマー複合材料から作られており、均質であることを要件としていない。複合材料及び複合材料を備えるゴルフクラブ構成要素の例は、米国特許出願公開第２０１１／０２７５４５１号に記載されており、同出願をここに参考文献としてそっくりそのまま援用する。
【００９３】
ゴルフクラブヘッドの本体１１３は、ＣＧ位置、振動制御又は減衰、又は音響制御又は減衰、のために使用されるものとしての加重要素、カートリッジ、及び／又は、インサート又は適用物体、の様な様々な特徴を含むことができる。例えば、米国特許第６，８１１，４９６号は、ここに参考文献としてそっくりそのまま援用されるものであり、質量改変ピン又はカートリッジ加重要素の付属品を開示している。
【００９４】
打球板及びゴルフクラブヘッドの本体１１３が形成された後、溶接に先立ち、打球板と本体部分１１３の接触面は確実に良好な接合部接触面がもたらされるように仕上げの機械加工が施されてもよい。一部の実施形態では、接触面は、仕上げの機械加工及び係合が容易になるように平面状をしている。
【００９５】
２．可撓性境界構造を有するアイアン型式ゴルフクラブヘッド
ここに説明されているアイアン型式ゴルフクラブヘッドの一部の実施形態では、可撓性境界構造（「ＦＢＳ」）が、クラブヘッドの１つ又はそれ以上の場所に設けられている。可撓性境界構造は、幾つかの実施形態では、ゴルフクラブヘッドの隣接部分又は関連部分の屈曲する又は撓む能力を高めそれによりゴルフクラブヘッドの性能における所望の改善を提供するスロット、チャネル、ギャップ、薄肉又は脆弱領域、又は他の構造、を備えていてもよい。例えば、幾つかの実施形態では、可撓性境界構造は、ゴルフスイング中のゴルフボールとの衝突時の打球面の撓みを増進させるためにゴルフクラブヘッドの打球面に近接して配置されている。打球面の撓みが増進すると、例えばゴルフクラブヘッドの反発係数（「ＣＯＲ」）の増加がもたらされる。他の実施形態では、打球面の周辺可撓性の増加は、チャネル、スロット、又は他の可撓性境界構造の不存在下にゴルフボールを打った際に起こる撓みに比較して、打球面の異なった場所を及び／又は打球面を異なった具合に撓ませることになる。
【００９６】
図２Ａ−図２Ｃを参照すると、可撓性境界構造を有するキャビティバックゴルフクラブヘッド２００の或る実施形態が示されている。実施形態では、可撓性境界構造は、クラブヘッドのソールに配置されているチャネル２５０である。以上に説明されている様に、可撓性境界構造は、スロット、チャネル、ギャップ、薄肉又は脆弱領域、又は他の構造、を備えていてもよいとされていることに留意されたい。また一方、明解さを期し、ここでの説明は、以下に説明されている幾つかの実施形態に含まれている、例えば図２Ａ−図２Ｃに描かれているチャネル２５０の様なチャネル又はスロットを包含している実施形態に限定しているが、ここに記載されている恩恵を実現するべく他の可撓性境界構造が使用されてもよいものと理解されたい。
【００９７】
チャネル２５０は、ソール２０８の或る領域に亘って打球面平面２２５に概ね平行に打球面平面２５５から後方へ離間されて延びている。チャネルは、ソールバー２３５の前方部分の中へ延びていて当該部分によって画定されており、前方壁２５２、後方壁２５４、及び上方壁２５６が画定されている。チャネル開口部２５８は、クラブヘッドのソール部分２０８に画定されている。前方壁２５２は、更に、その一部が、ソールの前方部分２４４から前方壁２５２への移行部に位置する第１ヒンジ領域２６０と、前方壁２５２の上方領域からソールバー２３５への移行部に位置する第２ヒンジ領域２６２と、を画定している。第１ヒンジ領域２６０と第２ヒンジ領域２６２は、ゴルフクラブヘッドの、チャネル２５０の存在に因るゴルフクラブヘッドの打球面２１０の撓み増加に寄与している部分である。具体的には、第１ヒンジ領域２６０と第２ヒンジ領域２６２の形状、寸法、及び向きは、ゴルフクラブヘッドのこれらの領域がゴルフボール衝突の荷重下に屈曲するように設計されている。第１ヒンジ領域２６０と第２ヒンジ領域２６２の屈曲性はひいては打球面２１０の追加の撓みを生み出す。
【００９８】
クラブヘッド２００及びチャネル２５０の寸法、形状、及び向きの幾つかの態様が、図２Ａ−図２Ｈに示されている実施形態に描かれている。例えば、ｙ−ｚ平面内に画定されているクラブヘッドのそれぞれの断面について、フェースからチャネルまでの距離Ｄ１は、地平面２１１上のフェース平面投影点２２６とチャネル中心線投影点２２７の間を測定した距離である。（図２Ｆ参照）。フェース平面投影点２２６は、打球面平面２２５を地平面２１１へ投影した交点と定義されている。チャネル中心線投影点２２７は、チャネル中心線２２９を地平面２１１へ投影した交点と定義されている。チャネル中心線２２９は、次の通り求められる。
【００９９】
図２Ｄ−図２Ｅを参照すると、クラブヘッド２００の、チャネル２５０の領域を包囲及び包含している部分の外側面の略外形２４９が示されている。略外形は、内部側２４９ａと外部側２４９ｂを有している。前方ソール外面２０８ａがチャネル２５０の前方側を延び、後方ソール外面２０８ｂがチャネル２５０の後方側を延びている。チャネルは、前方壁外面２５２ａ、後方壁外面２５４ａ、及び上方壁外面２５６ａを有している。前方チャネル進入点２６４は、前方ソール外面２０８ａと前方壁外面２５２ａの間に位置する局所最小半径（ｒｍｉｎ、略外形２４９の内部側２４９ａから測定）を有する曲線部の中点と定義されている。後方チャネル進入点２６５は、後方ソール外面２０８ｂと後方壁外面２５４ａの間に位置する局所最小半径（ｒｍｉｎ、同じく略外形２４９の内部側２４９ａから測定）を有する曲線部の中点と定義されている。前方チャネル進入点２６４と後方チャネル進入点２６５をつなぐ仮想線２６６がチャネル開口部２５８を画定している。仮想線２６６の中点２６６ａは、チャネル中心線２２９を画定している２つの点の一方である。チャネル中心線２２９を画定している他方の点は、上方チャネル頂点２６７であって、前方壁外面２５２ａと後方壁外面２５４ａの間に位置する局所最小半径（ｒｍｉｎ、略外形２４９の外部側２４９ｂから測定）を有する曲線部の中点と定義されている。前方壁２５２と後方壁２５４の間のチャネル上端に配置されている１つ又はそれ以上の平坦区画又は平坦面を有する或る実施形態では、上方チャネル頂点２６７は平坦区画又は平坦面の中点と定義される。
【０１００】
クラブヘッド２００及びチャネル２５０の寸法、形状、及び向きの別の態様は、ソール幅である。例えば、ｙ−ｚ平面内に画定されているクラブヘッドのそれぞれの断面について、ソール幅Ｄ３は、地平面２１１上のフェース平面投影点２２６とトレーリングエッジ投影点２４６の間を測定した距離である。（図２Ｆ参照）。フェース平面投影点２２６は以上に定義されている。トレーリングエッジ投影点２４６は、クラブヘッド２００のトレーリングエッジ２４５を通る仮想垂直方向線の地平面２１１との交点である。トレーリングエッジ２４５は、ソール部分２０８から背壁２３２又はクラブヘッドの背部分２２８の他の構造までの移行部を構成している半径の中点又は地点と定義されている。
【０１０１】
クラブヘッド２００とチャネル２５０の寸法、形状、及び向きの更に別の態様は、チャネルから後部までの距離Ｄ２である。例えば、ｙ−ｚ平面内に画定されているクラブヘッドのそれぞれの断面について、チャネルから後部までの距離Ｄ２は、地平面２１１上のチャネル中心線投影点２２７とトレーリングエッジ２４５を地平面へ垂直に投影した点の間を測定した距離である。（図２Ｆ参照）。結果として、それぞれのその様な断面について、Ｄ１＋Ｄ２＝Ｄ３である。
【０１０２】
図３Ａ−図３Ｂは、可撓性境界構造として働くチャネル３５０を有するゴルフクラブヘッド３００の２つの実施形態を示している。２つの実施形態は、理想打球場所３０１で切断された断面で測定したそれぞれの実施形態のフェースからチャネルまでの距離Ｄ１を別にすれば、同様に設計されている。図３Ａに示されているクラブヘッド実施形態は、図３Ｂに示されている実施形態のフェースからチャネルまでの距離Ｄ１より実質的に大きいフェースからチャネルまでの距離Ｄ１を含んでいるが、実施形態それぞれのソール幅Ｄ３（理想打球場所３０１で切断された同じ断面で測定）は同じである。
【０１０３】
ここに説明されている実施形態によるチャネル３５０を含んでいるクラブヘッドの数例についてフェースからチャネルまでの距離Ｄ１、チャネルから後部までの距離Ｄ２、ソール幅Ｄ３、及び、Ｄ１／Ｄ３、Ｄ２／Ｄ３、Ｄ１／Ｄ２の比、の幾つかの例示としての値を下表１に載せている。表１に報告されている測定値は、クラブヘッドの理想打球場所３０１の各側（即ち、トウ側及びヒール側）へ２５ｍｍ延在する部分に亘っての、フェースからチャネルまでの平均距離（Ｄ１）、チャネルから後部までの平均距離（Ｄ２）、及びソール平均幅（Ｄ３）の測定値である。ここでの使用に際し、「フェースからチャネルまでの平均距離（Ｄ１）」、「チャネルから後部までの平均距離（Ｄ２）」、及び「ソール平均幅（Ｄ３）」という用語は、複数のＤ１、Ｄ２、又はＤ３測定値の平均を指しており、前記複数のＤ１、Ｄ２、又はＤ３測定値は、理想打球場所３０１を通る第１の垂直方向平面であって理想打球場所３０１で打球面３１０に直角に引かれたベクトルを包含する第１の垂直方向平面及び第１の垂直方向平面に平行であって理想打球場所３０１の各側に１ｍｍの一定増分で離間させた複数の追加の垂直方向平面を含む複数の仮想平行垂直方向平面内で取られている。
【０１０４】
【表１】
0005980714.tif 000002
【０１０５】
図２Ａ−図２Ｃに戻って、クラブヘッド２００及びチャネル２５０の設計の更なる態様は、チャネル幅Ｗ１、チャネル長さＬ１、及びチャネル深さＨ１を含んでいる。チャネル幅Ｗ１は、水平方向平面（即ち、地平面２１１に平行な平面）における、チャネル２５０の所与の断面でのチャネルの前方壁２５２と後方壁２５４の間の距離の測定値である。チャネル長さＬ１は、概して、クラブヘッドのソール２０８上のチャネルの最もトウ寄りの点とチャネルの最もヒール寄りの点の間の距離の測定値であり、チャネル２５０の如何なる曲率も考慮に入れていない。チャネル深さＨ１は、概して、クラブヘッド２００が地平面２１１に載っているときの地平面２１１からチャネル上方壁２５６のチャネル内側面の（ｙ−ｚ平面で）最も高い点までの距離の測定値である。図２Ａ−図２Ｃに示されている様に、一部の実施形態では、チャネル２５０は、その全長に亘って一定幅Ｗ１及び一定深さＨ１を含んでいる。他の実施形態では、所望の設計及び／又は性能上の目的を実現するべく、これら３つのパラメータのうちの１つ又はそれ以上が変えられてもよい。
【０１０６】
図４Ａ−図４Ｂは、可撓性境界構造として働くチャネル４５０を有するゴルフクラブヘッド４００の２つの実施形態を描いている。２つの実施形態は、それぞれの実施形態のチャネル幅Ｗ１を別にすれば、同様に設計されている。図４Ａに示されているクラブヘッド実施形態は、一定チャネル幅Ｗ１であって図４Ｂに示されている実施形態の（同様に一定の）チャネル幅Ｗ１より実質的に小さいチャネル幅Ｗ１を含んでいる。他の実施形態では、チャネルは、一定でない幅Ｗ１を有していてもよい。それらの実施形態では、平均チャネル幅Ｗ１が求められよう。ここでの使用に際し、「平均チャネル幅Ｗ１」という用語は、複数のＷ１測定値の平均を指しており、複数のＷ１測定値は、地平面４１１より上のチャネル高さＨ１の２分の１に等しい距離に位置する点を通る第１の水平方向平面及び第１の水平方向平面に平行であって第１の水平方向平面より上及び下に０．５ｍｍの一定増分で離間させた複数の追加の水平方向平面を含む複数の仮想平行水平方向平面内で取られている。最も上の仮想平行水平方向平面は、地平面４１１より上のチャネル高さＨ１の８０％の高さに位置し、最も下の仮想平行水平方向平面は、地平面４１１より上のチャネル高さＨ１の少なくとも２０％の高さに位置している。仮想平行水平方向平面は全て、チャネルの前方壁４５２及びチャネルの後方壁４５４に位置する点を含んでいなくてはならない。ここに説明されているクラブヘッドの一部の実施形態では、平均チャネル幅Ｗ１は、約０．５０ｍｍから約１０．０ｍｍとされ、例えば、約１．０ｍｍから約４．０ｍｍ、約１．２５ｍｍから約２．５ｍｍ、などであってもよい。１つの実施形態では、平均チャネル幅Ｗ１は、約１．７５ｍｍである。
【０１０７】
一部の実施形態では、チャネル開口部２５８のチャネル幅Ｗ１は、例えばゴルフボールがクラブヘッド２００で打たれたときにチャネルの前方壁２５２と後方壁２５４を互いに接触させないだけの広さがありながらも、チャネル開口部２５８のチャネル幅Ｗ１は、より幅広のチャネル開口部２５８を有するチャネルに比べて土や芝生や他の物質のチャネル２５０進入量が少なくなるように十分に狭い。例えば、一部の実施形態では、チャネル開口部２５８のチャネル幅Ｗ１は、約０．５ｍｍから約５ｍｍとされ、例えば、約１．０ｍｍから約４ｍｍ、約１．２５ｍｍから約３ｍｍ、などであってもよい。
【０１０８】
図５Ａ−図５Ｂは、可撓性境界構造として働くチャネル５５０を有するゴルフクラブヘッド５００の２つの実施形態を描いている。２つの実施形態は、それぞれの実施形態のチャネル深さＨ１を別にすれば、同様に設計されている。図５Ａに示されているクラブヘッド実施形態は、図５Ｂに示されている実施形態の（同様に一定の）チャネル深さＨ１より実質的に小さい一定チャネル深さＨ１を含んでいる。他の実施形態では、チャネルは、一定でない深さＨ１を有していてもよい。それらの実施形態では、最大チャネル深さＨ１ＭＡＸ及び平均チャネル深さＨ１ＡＶＧが求められよう。ここでの使用に際し、「最大チャネル深さＨ１ＭＡＸ」という用語は、チャネルの全長に亘って発現しているチャネル深さＨ１の最大値を指す。ここでの使用に際し、「平均チャネル深さＨ１ＡＶＧ」は、Ｈ１測定値の平均を指しており、複数のＨ１測定値は、理想打球場所５０１を通る第１の垂直方向平面であって理想打球場所５０１で打球面５１０に直角に引かれたベクトルを包含する第１の垂直方向平面及び第１の垂直方向平面に平行であって理想打球場所５０１の各側に１ｍｍの一定増分で離間させた複数の追加の垂直方向平面を含む複数の仮想平行垂直方向平面内で取られている。
【０１０９】
ここに説明されている実施形態によるチャネルを含むクラブヘッドの数例について、平均チャネル深さＨ１ＡＶＧ、最大チャネル深さＨ１ＭＡＸ、クラブヘッド高さＨＣＨ、及び、Ｈ１ＡＶＧ／ＨＣＨ及びＨ１ＭＡＸ／ＨＣＨの比、の幾つかの例示としての値を下表２に載せている。
【０１１０】
【表２】
0005980714.tif 000003
【０１１１】
図６Ａ−図６Ｂは、可撓性境界構造として働くチャネル６５０を有するゴルフクラブヘッド６００の２つの実施形態を描いている。２つの実施形態は、それぞれの実施形態のチャネル長さＬ１を別にすれば、同様に設計されている。図６Ａに示されているクラブヘッド実施形態は、図６Ｂに示されている実施形態のチャネル長さＬ１より実質的に短いチャネル長さＬ１を含んでいる。ここに説明されているクラブヘッドの一部の実施形態では、チャネル長さＬ１は、約１５ｍｍから約６２ｍｍとされ、例えば、約４０ｍｍから約５７ｍｍ、約４５ｍｍから約５５ｍｍ、などであってもよい。１つの実施形態では、チャネル長さＬ１は約５０ｍｍである。
【０１１２】
ここに説明されている実施形態によるチャネルを含むクラブヘッドの数例について、チャネル長さＬ１、ソール長さＬＢ、及びＬ１／ＬＢの比、の幾つかの例示としての値を下表３に載せている。
【０１１３】
【表３】
0005980714.tif 000004
【０１１４】
ここに説明されている実施形態によるチャネルを含むクラブヘッドの数例について、チャネル長さＬ１、平均チャネル深さＨ１ＡＶＧ、最大チャネル深さＨ１ＭＡＸ、及び、Ｈ１ＡＶＧ／Ｌ１及びＨ１ＭＡＸ／Ｌ１の比、の幾つかの例示としての値を下表４に載せている。
【０１１５】
【表４】
0005980714.tif 000005
【０１１６】
図２Ａ−図２Ｈ、特に図２Ｇへ戻って、クラブヘッド２００とチャネル２５０の設計の更に他の態様は、少なくともクラブヘッドの以下の３つの部分の壁及び構成要素の厚さを含んでいる。第１壁厚さＴ１は、第１ヒンジ領域２６０の厚さの測定値である。第２壁厚さＴ２は、第２ヒンジ領域２６２の厚さの測定値である。前方ソール最小厚さＴＦＳは、ソールの前方部分２４４、即ち、ソール２０８の打球面２１０とチャネル２５０の間に位置する部分、の最小厚さ（垂直方向平面で測定）の測定値である。ソールバー最大厚さＴＳＢは、ソールバー２３５のチャネル２５０の後方に位置する部分の最大厚さ（垂直方向平面で測定）の測定値である。図２Ａ−図２Ｃに示されている様に、一部の実施形態では、クラブヘッド２００は、第１ヒンジ領域２６０、第２ヒンジ領域２６２、及びソールの前方部分２４４を含んでおり、それらは、それぞれ、自身の全長に亘って一定厚さを有している。他の実施形態では、所望の設計及び／又は性能上の目的を実現するべく、これら３つのパラメータのうちの１つ又はそれ以上が変えられてもよい。
【０１１７】
図７Ａ−図７Ｂは、可撓性境界構造として働くチャネル７５０を有するゴルフクラブヘッド７００の２つの実施形態を描いている。２つの実施形態は、それぞれの実施形態のチャネル７５０の向き及びその結果としての第１ヒンジ領域の厚さＴ１の変化を別にすれば、同様に設計されている。図７Ａに示されているクラブヘッド実施形態は、図７Ｂに示されている実施形態の第１ヒンジ領域厚さＴ１より実質的に小さい／薄い第１ヒンジ領域厚さＴ１を含んでいる。ここに説明されているクラブヘッドの一部の実施形態では、第１ヒンジ領域厚さＴ１は、約０．５ｍｍから約５．０ｍｍとされ、例えば、約１．０ｍｍから約３．０ｍｍ、約１．２ｍｍから約２．０ｍｍ、などであってもよい。１つの実施形態では、第１ヒンジ領域厚さＴ１は約１．５ｍｍである。
【０１１８】
図８Ａ−図８Ｂは、可撓性境界構造として働くチャネル８５０を有するゴルフクラブヘッド８００の２つの実施形態を描いている。２つの実施形態は、それぞれの実施形態のチャネル８５０の向き及びその結果としての第２ヒンジ領域厚さＴ２の変化を別にすれば、同様に設計されている。図８Ａに示されているクラブヘッド実施形態は、図８Ｂに示されている実施形態の第２ヒンジ領域厚さＴ２より実質的に小さい／薄い第２ヒンジ領域厚さＴ２を含んでいる。ここに説明されているクラブヘッドの一部の実施形態では、第２ヒンジ領域厚さＴ２は、約０．５ｍｍから約５．０ｍｍとされ、例えば、約１．０ｍｍから約２．５ｍｍ、約１．２ｍｍから約２．０ｍｍ、などであってもよい。１つの実施形態では、第２ヒンジ領域厚さＴ２は約１．５ｍｍである。
【０１１９】
ここに説明されている実施形態によるチャネルを含むクラブヘッドの数例について、前方ソール最小厚さＴＦＳ、ソールバー最大厚さＴＳＢ、及びＴＦＳ／ＴＳＢの比、の幾つかの例示としての値を下表５に載せている。
【０１２０】
【表５】
0005980714.tif 000006
【０１２１】
再び図２Ａ−図２Ｃに戻って、図示の実施形態に示されているチャネル２５０は、打球面２１０に概ね平行で且つ後方チャネル壁２５４にも概ね平行な前方チャネル壁２５２を含んでいる。結果として、チャネル幅Ｗ１は、チャネルの深さに亘って実質的に一定である。図９に示されている代わりの実施形態では、クラブヘッド９００は、前方チャネル壁９５２、後方チャネル壁９５４、及び上方チャネル壁９５６を有するチャネル９５０を含んでいる。前方チャネル壁９５２と後方チャネル壁９５４は、互いに平行でなく、内抱角βを画定しており、内抱角は０°より僅かに大きい角度から約２５°又はそれ以上であってもよい。
【０１２２】
３．チャネル／スロット外形の形状と向き
以上に説明されている実施形態のそれぞれでは、チャネルは、前方壁、後方壁、及び上方壁によって画定されており、クラブヘッドのソール部分に形成されているチャネル開口部を有している。従って、以上に説明されているチャネルのそれぞれは、チャネル開口部を別にすれば、その前方端、後方端、及び上方端が閉鎖されている。代わりの実施形態では、閉鎖されたチャネルの代わりに、チャネル壁の１つ又はそれ以上を貫いて延びている１つ又はそれ以上の開口部を有するチャネル、及び／又は上方壁を持たないスロットであってそれが配置されているクラブヘッドのソール部分（又は他の部分）を完全に貫いて延びていているスロットが提供されていてもよい。
【０１２３】
例えば、図１７Ａ−図１７Ｂ及び図１８Ａ−図１８Ｃに示されている実施形態では、キャビティバックアイアンゴルフクラブヘッド１７００は、前方壁１７５２、後方壁１７５４、及び上方壁１７５６によって、一部が画定されているチャネル１７５０を含んでいる。クラブヘッドは、更に、以上に記載の実施形態に関連して説明されている様に、トップライン１７０６、打球面１７１０、ソールの前方部分１７４４、及びソールバー１７３５を含んでいる。更に、代わりの実施形態（図１７Ａ−図１７Ｂ及び図１８Ａ−図１８Ｃに示されていない）では、クラブヘッド１７００は、中空アイアン（例えば、図１Ｃ及び図１Ｅ参照）を備えていてもよい。
【０１２４】
チャネルの前方壁１７５２に、１つ又はそれ以上の切り抜き又は窓１７９４が設けられている。例えば、図１８Ａ−図１８Ｂ参照。それぞれの窓１７９４は、前方チャネル壁１７５２の可撓性を高め、それにより、チャネル１７５０によって提供されている可撓性境界構造（ＦＢＳ）の、屈曲するか又は撓んでそれによりゴルフクラブヘッドの性能における所望の改善を提供する能力を高める。示されている実施形態では、前方壁１７５２は、前方壁１７５２のヒール−トウ方向の長さに沿って概ね等間隔に離間されている３つの切り抜き又は窓１７９４を含んでいる。代わりの実施形態では、より少ない（例えば１つ又は２つ）又はより多い（例えば、４つ又はそれ以上）の切り抜き又は窓１７９４が設けられていてもよい。
【０１２５】
例の窓１７９４は長円形を有しているが、他の形状（例えば、円形、卵形、楕円形、三角形、方形、矩形、台形、他）も実施可能である。図１８Ｃを参照して、示されている例では、代表的な切り抜き又は窓１７９４は、窓１７９４の最もトウ寄りの端と最もヒール寄りの端の間の距離に相当する長さＬＷと、窓１７９４の最もクラウン寄りの端と最もソール寄りの端の間の距離に相当する高さＨＷを有している。長さＬＷは、約１ｍｍからチャネル１７５０の長さＬ１と同程度、例えば約８５ｍｍまで、であってもよい（例えば、窓１７９４を１つしか含んでいない実施形態）。前方壁が３つの窓１７９４を含んでいる図１８Ａ−図１８Ｂに示されている実施形態では、窓は、それぞれ、約３ｍｍから約１８ｍｍの長さＬＷ、例えば、約６ｍｍから約１５ｍｍ、約８ｍｍから約１２ｍｍ、などの長さＬＷ、を有している。高さＨＷは、約０．５ｍｍからチャネル１７５０の高さＨ１と同程度、例えば約２５ｍｍまで、であってもよい。図１８Ａ−図１８Ｂに示されている実施形態では、窓は、それぞれ、約０．５ｍｍから約１５ｍｍの高さＨＷ、例えば、約１ｍｍから約１２ｍｍ、約１．５ｍｍから約８ｍｍ、などの高さＨＷ、を有している。
【０１２６】
図面には示されていないが、代わりの実施形態では、１つ又はそれ以上の窓又は切り抜きは、チャネル後方壁１７５４を貫いて形成され、ソールバー１７３５を貫いて延びていて、クラブヘッドの後方に面する面に出口ポートが設けられていてもよい。
【０１２７】
図１０Ａ−図１０Ｂを参照して、別の例では、キャビティバックアイアンクラブヘッド１０００は、ソール１００８を完全に貫きクラブヘッドの背部分の陥凹部１０３４の中まで延びているスロット１０５０を含んでいる。或る代わりの実施形態（図１０Ａ−図１０Ｂには示していない）では、中空アイアン（例えば、図１Ｃ参照）は、ソールを完全に貫きクラブヘッドの内部キャビティの中まで延びているスロットを含んでいてもよい。
【０１２８】
図１０Ａに示されている実施形態は、更に、クラブヘッドのソールを見たときに非直線状の湾曲した形状を有する開口部１０５８を備えたスロット１０５０を示している。他の実施形態では、スロット１０５０は、直線状であってもよいし、図１０Ａに示されている実施形態とは異なる湾曲形状を有していてもよく、それらのうちの幾つかが以下に説明されている。示されている例では、スロット開口部１０５８は、連続していて、第１曲線領域１０７０と第２曲線領域１０７２を含んでいる。第１曲線領域１０７０と第２曲線領域１０７２のそれぞれは、概ね半円形状を画定している。第１曲線領域１０７０は、第１曲線領域１０７０がリーディングエッジ１０４２に最も近接している点を表していてクラブヘッド１０００のトウ寄り２分の１に位置する頂点１０７０ａを有している。第２曲線領域１０７２は、第２曲線領域１０７２がリーディングエッジ１０４２に最も近接している点を表していてクラブヘッド１０００のヒール寄り２分の１に位置する頂点１０７２ａを有している。中央接続領域１０７３は、第１曲線領域１０７０と第２曲線領域１０７２を接続しており、典型的には、ＣＧｘ軸１０５の０座標又はその付近に中心がある。
【０１２９】
スロット１０５０は、ソールの前方部分１０４４の後方で且つソールバー１０３５の前方に配置されている。スロット１０５０は、フェースからスロットまでの距離Ｄ１を有しており、距離Ｄ１は、第１曲線領域１０７０と第２曲線領域１０７２の曲率に因り、スロット１０５０の長さに亘って可変である。図１０Ａ−図１０Ｂに示されている実施形態では、フェースからスロットまでの距離は、以上に図２Ａ−図２Ｈ及び図３Ａ−図３Ｂに関連して説明されている実施形態のフェースからチャネルまでの距離Ｄ１の範囲に匹敵するものであってもよい。スロット１０５０は、更に、スロット長さＬ１を有しており、長さＬ１は、以上に図２Ａ−図２Ｈ及び図６Ａ−図６Ｂに関連して説明されている実施形態のチャネル長さＬ１の範囲に匹敵するものであってもよい。スロット１０５０は、更に、スロット幅Ｗ１を有しており、幅Ｗ１は、以上に図２Ａ−図２Ｈ及び図４Ａ−図４Ｂに関連して説明されている実施形態のチャネル幅Ｗ１の範囲に匹敵するものであってもよい。加えて、示されている実施形態では、ソールの前方部分１０４４は、前方ソール最小厚さＴＦＳを有しているものであり、厚さＴＦＳは、以上に図２Ａ−図２Ｈ及び図８Ａ−図８Ｂに関連して説明されている実施形態の前方ソール最小厚さＴＦＳの範囲に匹敵するものであってもよい。
【０１３０】
一部の代わりの実施形態（図面には示されていない）では、アイアンクラブヘッド１０００はソール１００８を完全に貫いて延びているスロット１０５０を含んでいるものであり、ソールの前方部分１０４４は、以上に図２Ａ−図２Ｈ及び図８Ａ−図８Ｂに関連して説明されている実施形態の前方ソール最小厚さＴＦＳの範囲より大きい前方ソール最小厚さＴＦＳを有していてもよい。例えば、これらの代わりの実施形態では、前方ソール最小厚さＴＦＳは、約５ｍｍから約１５ｍｍとされ、例えば、約５ｍｍから約１２ｍｍ、約５ｍｍから約８ｍｍ、などであってもよい。
【０１３１】
次に図１９Ａ−図１９Ｂ及び図２０Ａ−図２０Ｂを参照すると、ソールスロット１９５０を有するキャビティバックアイアンゴルフクラブヘッド１９００の例が示されている。クラブヘッドは、更に、以上に記載の実施形態に関連して説明されている様に、トップライン１９０６、打球面１９１０、ソールの前方部分１９４４、及びソールバー１９３５を含んでいる。スロット１９５０は、ソール１９０８を貫いてクラブヘッド１９００の背部分の陥凹部１９３４の中への通路を画定している。また、代わりの実施形態（図１９Ａ−図１９Ｂ及び図２０Ａ−図２０Ｂには示されていない）では、クラブヘッド１９００は、中空アイアン（例えば図１Ｃ及び図１Ｅ参照）を備えていてもよく、その場合、スロット１９５０はソール１９０８を貫いてクラブヘッドの内部キャビティ１２０の中への通路を提供する。ここでの使用に際し「後部ボイド」という用語は、キャビティバックアイアンゴルフクラブヘッドの陥凹部１９３４か又は中空ゴルフクラブヘッドの内部キャビティ１２０のどちらか又は両方を指すものとする。
【０１３２】
スロット１９５０は、ソール１９０８の、ソール前方部分１９４４の後方で且つソールバー１９３５の前方に配置されている。スロット１９５０は、フェースからスロットまでの距離Ｄ１を有しており、距離Ｄ１は、以上に図２Ａ−図２Ｈ及び図３Ａ−図３Ｂに関連して説明されている実施形態のフェースからチャネルまでの距離Ｄ１の範囲に匹敵するものであってもよい。スロット１９５０は、更に、スロット長さＬ１を有しており、長さＬ１は、以上に図２Ａ−図２Ｈ及び図６Ａ−図６Ｂに関連して説明されている実施形態のチャネル長さＬ１の範囲に匹敵するものであってもよい。スロット１９５０は、更に、スロット幅Ｗ１を有しており、幅Ｗ１は、以上に図２Ａ−図２Ｈ及び図４Ａ−図４Ｂに関連して説明されている実施形態のチャネル幅Ｗ１の範囲に匹敵するものであってもよい。加えて、示されている実施形態では、ソールの前方部分１９４４は、前方ソール最小厚さＴＦＳを有するものであって、厚さＴＦＳは、以上に図２Ａ−図２Ｈ及び図８Ａ−図８Ｂに関連して説明されている実施形態の前方ソール最小厚さＴＦＳの範囲に匹敵するものであってもよい。
【０１３３】
クラブヘッドの断面図は、クラブヘッドの中央領域のスロット１９５０の形状の外形を示している。図示されている様に、例えば、図１９Ａ−図１９Ｂ及び図２０Ａ−図２０Ｂでは、ソールバー１９３５は、スロット１９５０の口より上の空間の中へ延びている張り出し部材１９９６を含んでいる。図１９Ａ−図１９Ｂの実施形態では、張り出し部材１９９６は、ソールバー１９３５の前方に面する部分の高さの実質的部分に亘って延びているのに対して、図２０Ａ−図２０Ｂの実施形態では、張り出し部材１９９６は、スロット１９５０の口より上のソールバー１９３５の前方に面する部分から延びる細い棚を備えている。一部の実施形態では、張り出し部材１９９６の場所及び重量は、張り出し部材１９９６を含んでいないクラブヘッドに比べて、望ましいＣＧ前方移動をもたらすことができる。他の実施形態では、張り出し部材１９９６は、クラブヘッドの製造中にスロット１９５０の中へ注入されるか又はそれ以外のやり方で挿入される粘性充填材料を部分的に閉じ込める又は保持する役目を果たすバックネットとなることができ、それについては以下に更に詳細に説明する。
【０１３４】
張り出し部材１９９６とスロット１９５０は、ソール１９０８を貫いてクラブヘッドの後部ボイド例えばクラブヘッド１９００の背部分の陥凹部１９３４の中への（キャビティバックアイアンクラブヘッドの場合）又はソール１９０８を貫いてクラブヘッドの内部キャビティ１２０の中への（中空アイアンクラブヘッドの場合）非直線状の通路を画定している。非直線状の通路は、図１９Ｂ及び図２０Ｂに示されている軸方向経路１９９８によって画定されていてもよい。軸方向経路１９９８は、図１９Ｂ及び図２０Ｂに示されている様な所与の断面について、クラブヘッドの前方側の前方ソール部分１９４４の内面及び打球板１９１０の後面上の全ての点とクラブヘッドの後方側のソールバー１９３５（張り出し部材１９９６を含む）の内面上の対向点の間の最短距離を表す線の中点の総体を備える仮想線を表している。
【０１３５】
図１９Ｂ及び図２０Ｂに示されている実施形態では、非直線状軸方向経路１９９８は、少なくとも、スロット１９５０の口を通っていてフェース平面１２５に概ね平行である軸方向を有する下経路領域１９９８ａと、軸方向がフェース平面１２５に概ね垂直に方向付けられている中間経路領域１９９８ｂと、軸方向がフェース平面１２５に概ね平行に方向付けられている上経路領域１９９８ｃと、を含んでいる。例えば、一部の実施形態では、下経路領域１９９８ａは、少なくとも約１ｍｍの長さを有する部分であって、フェース平面１２５に対する平行度約３０°以内にある、例えばフェース平面１２５に対する平行度約２０°以内、フェース平面１２５に対する平行度約１５°以内、などにある部分を含んでいる。一部の実施形態では、中間経路領域１９９８ｂは、少なくとも約１ｍｍの長さを有する部分であって、フェース平面１２５に対する直角度約３０°以内にある、例えば、フェース平面１２５に対する直角度約２０°以内、フェース平面１２５に対する直角度約１５°以内、などにある部分を含んでいる。一部の実施形態では、上経路領域１９９８ｃは、少なくとも約１ｍｍの長さを有する部分であって、フェース平面１２５に対する平行度約３０°以内にある、例えば、フェース平面１２５に対する平行度約２０°以内、フェース平面１２５に対する平行度約１５°以内、などにある部分を含んでいる。
【０１３６】
次に図１１Ａ−図１１Ｈを参照すると、ソールチャネル又はソールスロット外形の数例が示されている。それぞれの例では、クラブヘッド１１００は、クラブヘッドのソール１１０８の一部分に亘って延びているスロット１１５０を含んでいる。図１１Ａに示されている実施形態では、スロット１１５０は、以上に図２Ａ−図２Ｃに関連して説明されているチャネル外形の例に匹敵する向き、形状、及び寸法を有する直線状のスロットである。図１１Ｂに示されている実施形態では、スロット１１５０は、トウ側端１１７４ａと、ヒール側端１１７４ｂと、ＣＧｘ軸１０５の０座標と一致する及び／又は理想衝突場所１０１（図１Ａ参照）のＣＧｘ軸座標と一致する点に概ね位置する単一の頂点１１７４ｃと、を有する、単一の連続した曲線１１７４の形状を有している。同様に、図１１Ｃに示されている実施形態では、スロット１１５０は、トウ側端１１７４ａと、ヒール側端１１７４ｂと、ＣＧｘ軸１０５の０座標と一致する及び／又は理想衝突場所１０１（図１Ａ参照）のＣＧｘ軸座標と一致する点に概ね位置する単一の頂点１１７４ｃと、を有する、単一の連続した曲線１１７４の形状を有している。図１１Ｂの実施形態では、単一頂点１１７４ａは、クラブヘッドの前部分１１３０に向かってアーチ状をしており、即ち、単一頂点１１７４ａのリーディングエッジ１１４２の最近接部分までの距離は、トウ側端１１７４ａ及びヒール側端１１７４ｂのそれぞれのリーディングエッジ１１４２の最近接部分までの距離より小さい。図１１Ｃの実施形態では、単一の頂点１１７４ａは、クラブヘッドの背部分１１２８に向かってアーチ状をしており、即ち、単一頂点１１７４ａのリーディングエッジ１１４２の最近接部分までの距離は、トウ側端１１７４ａ及びヒール側端１１７４ｂのそれぞれのリーディングエッジ１１４２の最近接部分までの距離より大きい。
【０１３７】
図１１Ｄに示されている実施形態では、スロット１１５０は、以上に図１０Ａ−図１０Ｂに関連して説明されている例に匹敵する向き、形状、及び寸法を有する連続した曲線状のスロットであり、第１曲線領域１１７０、第２曲線領域１１７２、及び中央接続領域１１７３を含んでいる。図１１Ｆに示されているクラブヘッド実施形態は、第１曲線領域１１７０と第２曲線領域１１７２を有するスロット１１５０を含んでいるが、スロットは、中央接続領域を含んでいない。代わりに、図１１Ｆに示されているスロット１１５０は、非連続であり、２つの別々の部分―第１曲線領域１１７０と第２曲線領域１１７２―を有している。最後に、図１１Ｅに示されているクラブヘッド実施形態は、同様に非連続であって、別々で互いに接続されていない第１直線状領域１１７６と第２直線状領域１１７８を備えるスロット１１５０を含んでいる。
【０１３８】
図１１Ｇに示されている実施形態では、クラブヘッド１１００は、概ねヒール部分１１０２からトウ部分１１０４まで延びるソール１１０８の長さの実質的部分に亘って延びている単一の連続した直線状スロット１１５０を含んでいる。スロット１１５０は、リーディングエッジ１１４２に対して斜め又は非平行の向きを有している。示されている実施形態では、スロットのトウ側端１１５０ａからリーディングエッジ１１４２までの距離は、スロットのヒール側端１１５０ｂからリーディングエッジ１１４２までの距離より小さい。
【０１３９】
図１１Ｈに示されている実施形態では、クラブヘッド１１００は、クラブヘッドのリーディングエッジ１１４２と実質的に平行である主部分１１８０と、ヒール領域１１０２近くの、リーディングエッジ１１４２から離れる方へ或る角度で向きが付けられている副部分１１８２と、を含む単一の連続したスロット１１５０を含んでいる。
【０１４０】
同様に、図１１Ｉでは、クラブヘッド１１００は、クラブヘッドのリーディングエッジ１１４２と実質的に平行である主部分１１８０と、ヒールリリーフ部分１１８３と、トウリリーフ部分１１８４と、を含む単一の連続したスロット１１５０を含んでいる。示されている実施形態では、ヒールリリーフ部分１１８３とトウリリーフ部分１１８４のそれぞれは、主部分１１８０のリーディングエッジ平行整列からヒールリリーフ部分１１８３及びトウリリーフ部分１１８４の後方指向整列への移行を提供している半径領域１１８５によって、スロットの主部分１１８０と接合されている。示されている様に、ヒールリリーフ部分１１８３は、主部分１１８０から概ね後方へ整列していて、約９０°から約１５０°とされる逃げ角γを画定している。同様に、トウリリーフ部分１１８４は、主部分１１８０から概ね後方へ整列していて、約９０°から約１５０°とされる逃げ角βを画定している。一部の実施形態では、逃げ角γ及びβは等しいか又は実質的に同じであり、また一方、他の実施形態では、逃げ角γ及びβは異なっている。一部の実施形態では、ヒールリリーフ部分１１８３及び／又はトウリリーフ部分１１８４のうちの一方又は両方のスロット幅Ｗ１は、図１１Ｉの例に示されている様に、主部分１１８０のスロット幅Ｗ１より大きくてもよい。
【０１４１】
図１１Ｊでは、クラブヘッド１１００は、クラブヘッドのリーディングエッジ１１４２と実質的に平行である主部分１１８０と、ヒールリリーフ部分１１８６と、トウリリーフ部分１１８７と、を含む単一の連続したスロット１１５０を含んでいる。ヒールリリーフ部分１１８６とトウリリーフ部分１１８７のそれぞれは、スロット１１５０の幅の広くなった領域を備えており、即ち、スロット１１５０のヒールリリーフ部分１１８６及びトウリリーフ部分１１８７の領域におけるスロット幅Ｗ１は、スロットの主部分１１８０における幅Ｗ１より大きい。一部の実施形態では、ヒールリリーフ部分１１８６及び／又はトウリリーフ部分１１８７の一方又は両方のスロット幅Ｗ１対主部分１１８０のスロット幅Ｗ１の比は、約１．１から約５、例えば、約１．１から約３、約１．１から約２、などであってもよい。
【０１４２】
クラブヘッドのソール１１０８に形成されているスロット１１５０を含んでいる上記実施形態のそれぞれでは、応力緩和を提供しクラブヘッドの耐久性を高めるために、丸みのある又はテーパ状の縁輪郭を提供するのが更に有利である。例えば、図１１Ｉ及び図１１Ｊに示されている実施形態では、応力が集中するヒールリリーフ部分及びトウリリーフ部分に丸みのある角又は縁を組み入れることが有利である。
【０１４３】
図１１Ａ−図１１Ｊに示されているソールスロット外形の実施形態のそれぞれは、ソールチャネルの設計でクラブヘッドの可撓性境界構造として適用できることに留意されたい。それらの実施形態では、ソールチャネルは、以上に図２Ａ−図２Ｃに関連して説明されている様式の前方壁、後方壁、及び上方壁を含むものとなろう。
【０１４４】
４．代わりのチャネル／スロット場所
以上に説明されているクラブヘッドの実施形態の幾つかは、クラブヘッドのソール部分に配置されている１つ又はそれ以上の可撓性境界構造を含んでいる。他の代わりの実施形態では、可撓性境界構造は、クラブヘッドの他の部分に含まれていてもよい。例えば、図１２Ａに示されている実施形態では、クラブヘッド１２００は、クラブヘッドのトウ領域１２０４に配置されているチャネル１２５０の形態をした可撓性境界構造を含んでいる。クラブヘッド１２００は、陥凹部１２３４を有するキャビティバック構造か又は内部キャビティ１２２０を有する中空構造のどちらかとすることができる。チャネル１２５０は、打球面１２１０のエッジに概ね平行である直線状の連続したチャネルである。チャネル１２５０は、クラブヘッドのトウ領域１２０４の比較的厚肉の周辺加重部分の中へ延びている。示されている実施形態では、チャネル１２５０は、チャネル長さＬ１、チャネル幅Ｗ１、及びチャネル深さＤ１を有している。
【０１４５】
或る代わりの実施形態では、クラブヘッド１２００は、図１２Ａに示されているチャネル１２５０ではなく、トウ領域１２０４に配置されているか又はトウ領域１２０４に沿って配置されているスロットを含んでいてもよい。代わりの実施形態では、スロットは、クラブヘッドのトウ領域１２０４を貫いて、陥凹部１２３４の中へ（キャビティバッククラブヘッドの場合）又は内部キャビティ１２２０の中へ（中空クラブヘッドの場合）延びている。スロットは、スロット長さＬ１とスロット幅Ｗ１を有していよう。
【０１４６】
更に他の実施形態では、スロット、チャネル、又は他の可撓性境界構造が、ヒール部分１０２（図１Ａ−図１Ｄ参照）、トップライン部分１０６、打球面１１０、又はクラブヘッドの別の部分に配置されていてもよい。例えば、図１２Ｂに示されている実施形態では、クラブヘッド１２００は、クラブヘッドのヒール領域１２０２に配置されているチャネル１２５０の形態をした可撓性境界構造を含んでいる。更に、図１２Ｃに示されている実施形態では、クラブヘッド１２００は、ソール１２０８に配置されていてトウ領域１２０４及びヒール領域１２０２へ延びているか又は周りを「取り巻く」チャネル１２５０形態をした可撓性境界構造を含んでいる。スロット又はチャネルを有するそれらの例では、スロット又はチャネルの外形は、例えば、図１１Ａ−図１１Ｈに示されている外形のうちの１つであってもよいし、別の外形、形状、又は向きであってもよい。
【０１４７】
更に他の実施形態では、複数の可撓性境界構造が、クラブヘッドの別々の場所に含まれていてもよい。例えば、第１チャネル１３５０ａがトウ領域１３０４に配置され第２チャネル１３５０ｂがヒール領域１３０２に配置されている別のクラブヘッド実施形態が、図１３に概略的に示されている。一部の実施形態では、第１チャネル１３５０ａと第２チャネル１３５０ｂの一方又は両方は、ソール領域１３０８へと延びていて、クラブヘッドの周りを取り巻いてトウ領域１３０４及び／又はヒール領域１３０２それぞれへ至っている。更に他の実施形態では、第１チャネル１３５０ａと第２チャネル１３５０ｂの一方又は両方は、全体がトウ領域１３０４及び／又はヒール領域１３０２それぞれの領域内に配置されていてもよい。
【０１４８】
５．チャネル深さ外形
図２Ａ−図２Ｃでは、クラブヘッド２００は、チャネルの全長に亘って一定深さＨ１を有するチャネル２５０を含んでいる。以上にそれらの図に示されている実施形態を論じた際に指摘した様に、一部の実施形態では、チャネル深さＨ１は、約５．０ｍｍから約２５．０ｍｍとされ、例えば、約６．０ｍｍから約１４．５ｍｍ、約８．５ｍｍから約１３．０ｍｍ、などであってもよい。１つの実施形態では、チャネル深さＨ１は、約１０．５ｍｍである。他の代わりの実施形態では、クラブヘッドは、所望の性能上の目的を実現するために、一定ではない深さを有するチャネルを有していてもよい。
【０１４９】
例えば、幾つかのクラブヘッド実施形態が、図１４Ａ−図１４Ｃに示されている。図示のクラブヘッドのそれぞれは、クラブヘッドのソール１４０８に配置されていてクラブヘッドに設けられているソールバー（図示せず）の中へ延びているチャネル１４５０を含んでいる。明解さを期して、チャネルのそれぞれの深さ外形の投影が、図示の実施形態の打球面１４１０へ投影された点線によって概略的に表されているが、チャネル１４５０は、実際には、実際のクラブヘッドの打球面１４１０に視認できないものと理解されたい。投影されている深さ外形は、クラブヘッドのソールバー内のチャネル１４５０の深さ及び形状を描くことを意図している。
【０１５０】
図１４Ａに示されている実施形態は、チャネルのヒール側からトウ側までの全長に亘って実質的に一定の深さＨ１を有するチャネル１４５０を含んでいる。しかしながら、図１４Ｂ−図１４Ｃに示されている実施形態は、一定ではない深さ外形を有するチャネル１４５０を含んでいる。例えば、図１４Ｂの実施形態は、トウ側深さＨｔ、ヒール側深さＨｈ、及び中央部深さＨｃとして、２つの不等式、即ち、（１）Ｈｔ＞Ｈｃと（２）Ｈｈ＞Ｈｃを満たす、トウ側深さＨｔ、ヒール側深さＨｈ、及び中央部深さＨｃを有するチャネル１４５０を含んでいる。他方、図１４Ｃの実施形態は、２つの不等式、即ち、（１）Ｈｔ＜Ｈｃと（２）Ｈｈ＜Ｈｃを満たす、トウ側深さＨｔ、ヒール側深さＨｈ、及び中央部深さＨｃを有するチャネル１４５０を含んでいる。
【０１５１】
図１４Ｂに示されている実施形態では、チャネルのトウ側部分でのチャネル１４５０の深さＨｔのピーク又は最大値はチャネルのトウ側端に在り、チャネルのヒール側部分でのチャネル１４５０の深さＨｈのピーク又は最大値は、チャネルのヒール側端に在る。加えて、チャネルの中央部のチャネル深さＨｃは、チャネルの全長に亘っての最小深さである。チャネル深さＨ１は、チャネルの中央部からそれぞれの方向にトウ領域１４０４及びヒール領域１４０２へ向かってゆくにつれ線形に漸増している。他の実施形態では、トウ側深さＨｔ及び／又はヒール側深さＨｈのピーク値は、チャネルの中央部とチャネルのトウ側端及びヒール側端それぞれの間に在ってもよい。加えて、一部の実施形態では、チャネル深さ外形は、チャネルの中央部からチャネルの端へ進むにつれて非線形であってもよい。
【０１５２】
図１４Ｃに示されている実施形態では、チャネルのトウ側部分でのチャネル１４５０の深さＨｔの最小値は、チャネルのトウ側端に在り、チャネルのヒール側部分でのチャネル１４５０の深さＨｈの最小値は、チャネルのヒール側端に在る。加えて、チャネルの中央部のチャネルの深さＨｃは、チャネルの全長に亘っての最大深さである。チャネル深さＨ１は、チャネルの中央部からそれぞれの方向にトウ領域１４０４及びヒール領域１４０２に向かってゆくにつれ線形に漸減している。他の実施形態では、トウ側深さＨｔ及び／又はヒール側深さＨｈの最小値は、チャネルの中央部とチャネルのトウ側端及びヒール側端それぞれの間に在ってもよい。加えて、一部の実施形態では、チャネル深さ外形は、チャネルの中央部からチャネルの端へ進むにつれて非線形であってもよい。
【０１５３】
６．多重チャネル設計
次に図１５Ａ−図１５Ｂを参照すると、クラブヘッド１５００の実施形態は、クラブヘッドのソールバー１５３５に配置されている第１チャネル１５５０と第２チャネル１５５１を含んでいる。第１チャネル１５５０は、以上に図２Ａ−図１２Ｃに示されている実施形態に関連して説明されているチャネルと同様であり、チャネルからフェースまでの距離Ｄ１、第１チャネル幅Ｗ１、第１チャネル深さＨ１、及び第１チャネル長さＬ１を有している。第１チャネルの前方壁１５５２は、第１ヒンジ領域厚さＴ１を有する第１ヒンジ領域１５６０と、第２ヒンジ領域厚さＴ２を有する第２ヒンジ領域１５６２を画定している。ソールの前方部分１５４４は、前方ソール厚さＴＦＳを有する壁を画定している。第１チャネル１５５０は、後方壁１５５４と上方壁１５５６を更に含んでいる。第１チャネル開口部１５５８が、クラブヘッドのソール領域１５０８に配置されている。
【０１５４】
第２チャネル１５５１が、第１チャネル１５５０に隣接してその後方に（即ち、打球面１５１０からは離れて）配置されており、第１チャネル後方壁１５５４、第２チャネル後方壁１５５５、及び第２チャネル下方壁１５５７によって画定されている。第２チャネル開口部１５５９は、ソールバー１５３５の上面に配置されている。第２チャネル１５５１は、第２チャネル幅Ｗ２、第２チャネル深さＨ２、及び第２チャネル長さＬ２を有している。第２チャネル幅Ｗ２は、第１チャネル幅Ｗ１を測定するのに使用されるのと実質的に同じ方法であって第２チャネルの相対的な向きに基づいて適合された方法を使用して測定されている。第２チャネル深さＨ２は、第２チャネル開口部１５５９と一致する第１の水平方向平面と第２チャネル１５５１の内部の最下点を包含している第２の水平方向平面の間の垂直方向距離である。第２チャネル長さＬ２は、クラブヘッドのソールバー１５３５上の、第２チャネル１５５１の最もトウ寄りの点と第２チャネル１５５１の最もヒール寄りの点の間の距離の測定値であり、チャネル１５５１の如何なる曲率も考慮に入れていない。第１チャネルの後方壁１５５４は、第２チャネル１５５１の前方壁に相当するものであって、第３ヒンジ領域厚さＴ３を有する第３ヒンジ領域１５６４と第４ヒンジ領域厚さＴ４を有する第４ヒンジ領域１５６２を画定している。
【０１５５】
第１チャネル１５５０と第２チャネル１５５１は、チャネル離隔距離ＤＳＥＰだけ隔てられており、チャネル離隔距離ＤＳＥＰは次の様に求められる。第１チャネル中心線１５２９ａと第２チャネル中心線１５２９ｂを、以上に図２Ｄ−図２Ｅに示されているチャネル中心線に関連して説明されている方式で作成する。仮想基準線１５２２を、地平面１５１１に平行に地平面より上５ｍｍの高さに引く。基準線１５２２と第１チャネル中心線１５２９ａ及び第２チャネル中心線１５２９ｂとの交点の間の距離を、チャネル離隔距離ＤＳＥＰと定義する。
【０１５６】
一部の実施形態では、第１チャネル中心線１５２９ａと第２チャネル中心線１５２９ｂは、互いに平行である。他の実施形態では、第１チャネル中心線１５２９ａと第２チャネル中心線１５２９ｂは、それらの間にチャネル中心線角度αを画定する向きである。一部の実施形態では、第１チャネル中心線１２２９ａは、第２チャネル中心線１２２９ｂの向きより急勾配である（即ち、より垂直に近い）向きを有している。それらの実施形態では、チャネル中心線角度αは、「上」向きであり、０°より僅かに大きく９０°より僅かに小さい範囲の値、例えば約１°から約１５°の間などの値を有していてもよい。一部の他の実施形態では、第１チャネル中心線１２２９ａは、第２チャネル中心線１２２９ｂの向きよりもなだらかである（即ち、より水平に近い）向きを有している。それらの実施形態では、チャネル中心線角度αは、「下」向きであり、０°より僅かに大きく９０°より僅かに小さい範囲の値、例えば約１°から約１５°の間などの値を有していてもよい。
【０１５７】
ここに説明されている実施形態による二重チャネル設計を含んでいるクラブヘッドの数例について、チャネル離隔距離ＤＳＥＰ及びチャネル中心線角度αの幾つかの例示としての値を下表６に載せている。
【０１５８】
【表６】
0005980714.tif 000007
【０１５９】
図１５Ｃは、クラブヘッドのソールバー１５３５に配置されている第１チャネル１５５０、第２チャネル１５５１、及び第３チャネル１５５３を含んでいるクラブヘッド１５００の別の実施形態を示している。第１チャネル１５５０と第２チャネル１５５１は、以上に図１５Ａ−図１５Ｂに示されている実施形態に関連して説明されているチャネルと同様であり、チャネルからフェースまでの距離Ｄ１及びＤ２、チャネル幅Ｗ１及びＷ２、チャネル深さＨ１及びＨ２、そしてチャネル長さＬ１及びＬ２、を有している。第１チャネルの前方壁１５５２は、第１ヒンジ領域厚さＴ１を有する第１ヒンジ領域１５６０と、第２ヒンジ領域厚さＴ２を有する第２ヒンジ領域１５６２を画定している。ソールの前方部分１５４４は、前方ソール厚さＴＦＳを有する壁を画定している。第１チャネル１５５０は、後方壁１５５４と上方壁１５５６を更に含んでいる。第１チャネル開口部１５５８がクラブヘッドのソール領域１５０８に配置されている。
【０１６０】
第３チャネル１５５３は、第２チャネル１５５１に隣接してその後方に（即ち、打球面１５１０から離れて）配置されており、第２チャネル後方壁１５５５、第３チャネル後方壁１５６８、及び第３チャネル上方壁１５６９によって画定されている。第３チャネル開口部１５７１が、ソールバー１５３５の下面に配置されている。第３チャネル１５５３は、第３チャネル幅Ｗ３、第３チャネル深さＨ３、及び第３チャネル長さＬ３を有しており、それらは各々、第１チャネルの対応するパラメータを測定するのに使用されるのと実質的に同じ方法を使用して測定されている。
【０１６１】
７．充填材、減衰、振動
以上に記載のクラブヘッド実施形態では、説明されている可撓性境界構造は、クラブヘッド内にボイド又は空間を画定しているチャネル及びスロットの設計を含んでいる。一部の実施形態では、これらのボイド又は空間は、未充填のまま残されている。図２Ｈ及び図１９Ｃに描かれている実施形態の様な他の実施形態では、充填材料２２３が、チャネル、スロット、又は他の可撓性境界構造の中へ加えられていてもよい。１つ又はそれ以上の充填材は、好ましからざる物質（例えば、水、芝生、土、など）がチャネル又はスロットに進入するのを防止することやクラブヘッドがゴルフボールを打ったときに起こる振動を減衰させることによってクラブヘッドの音及び感触への所望の変化を得ることを含め、性能上の所望の目的を実現するべく加えられるものである。
【０１６２】
スロット、チャネル、又は他の可撓性境界構造の中へ設置される充填材としての使用に適した材料の例には、限定するわけではないが、粘弾性エラストマー類、無機充填材を含んでいるか又は含んでいないビニルコポリマー類、硫酸バリウムの様な鉱物充填材を含んでいるか又は含んでいないポリビニルアセテート、アクリル類、ポリエステル類、ポリウレタン類、ポリエーテル類、ポリアミド類、ポリブタジエン類、ポリスチレン類、ポリイソプレン類、ポリエチレン類、ポリオレフィン類、スチレン／イソプレンブロックコポリマー類、水素添加スチレン系熱可塑性エラストマー類、金属化ポリエステル類、金属化アクリル類、エポキシ類、エポキシとグラファイトの複合材、天然ゴム及び合成ゴム、圧電セラミックス、熱硬化性ゴム及び熱可塑性ゴム、発泡性ポリマー類、イオノマー類、低密度繊維ガラス、ビチューメン、シリコン、及びそれらの混合物が挙げられる。金属化ポリエステル類及び金属化アクリル類は、金属としてアルミニウムを備えることができる。市販されている材料には、弾性ポリマー材料である、例えば、3M社提供のScotchweld（商標）（例えば、DP-105（商標））並びにScotchdamp（商標）、Solbothane, Inc.社提供のSolbothane（商標）、Soundcoat Company Inc.社提供のDYAD（商標）及びGP（商標）、Dynamat Control of North America, Inc.社提供のDynamat（商標）、Pole Star Maritime Group, LLC社提供のNoViFlex（商標）Sylomer（商標）、Dow Chemical Company社提供のIsoplast（商標）、Pique Technologies, Inc.社提供のLegetolex（商標）、及び株式会社クラレ提供のハイブラー（商標）、などが挙げられる。
【０１６３】
一部の実施形態では、固体充填材料が、スロット、チャネル、又は他の可撓性境界構造の中へ押し嵌めされるか又は接着結合されていてもよい。他の実施形態では、充填材料を、スロット又はチャネルの中へ、流し込み、注入、又はそれ以外のやり方で挿入し、その場で硬化させ、十分な硬さ又は弾性のある外側面を形成させてもよい。更に他の実施形態では、充填材料を、スロット又はチャネルの中へ設置し、金属、合金、金属系、複合材、硬質プラスチック、弾性エラストマー、又は他の適した材料で形成されている弾性キャップ又は他の構造を用いて、その場にシールさせてもよい。
【０１６４】
一部の実施形態では、チャネル２５０内で露出している充填材２２３又はキャップの部分は、概ね凸形状を有していて、充填材２２３又はキャップの最下部分がクラブヘッド２００の本体の直接隣接している部分の最下面より下にギャップＤＦだけ位置がずれているようにしてチャネル内に配置されている。（例えば、図２Ｈ参照）。ギャップＤＦは、チャネル内で露出している充填材２２３又はキャップ側の、地面又は他の物体を叩いたことに起因する過度な摩滅又は裂けを防ぐのに足る大きさであるのが好ましい。このやり方では、充填材２２３又はキャップは、充填材２２３又はキャップがクラブヘッドヘッド本体の隣接部分と面一に配置されていたなら起こるはずのスイング中の地面との接触に起因する過度な摩滅には曝されない。
【０１６５】
図１９Ｃに示されている実施形態では、クラブヘッド１９００は、スロット１９５０と張り出し部１９９６を含んでいる。スロット１９５０はソール１９０８を貫いてクラブヘッドの後部ボイド（例えば、陥凹部１９３４又は内部キャビティ１２０）の中への通路を提供しているのに対し、張り出し部１９９６は、ソールバー１９３５から延びていて通路を部分的に遮っている。このやり方では、張り出し部１９９６は、クラブヘッドの製造中にスロット１９５０の中へ注入されるか又はそれ以外のやり方で挿入される粘性充填材料２２３を部分的に閉じ込める又は保持するバックネットとしての役目を果たしている。従って、製造中、粘性の充填材料２２３がスロット１９５０を通って注入されると、充填材料は張り出し部１９９６に遭遇し、すると張り出し部は充填材料２２３が概ね上向きに流れてゆくのを止め、流れを概ね打球面１９１０の方へ向け直すので、その結果、スロット１９５０をシールするのに必要な充填材料２２３の量を削減できる。
【０１６６】
８．ゴルフクラブセット
次に図１６を参照すると、ゴルフクラブセット１６００が描かれている。ゴルフクラブセット１６００は、キャビティバック、マッスルバック、ブレード、中空クラブ、又は典型的に使用されている他の型式のクラブヘッドを含め、１つ又はそれ以上の型式のゴルフクラブヘッド１６０４をセットの一部として含んでいてもよい。ゴルフクラブセット１６００は、クラブ間で性能特性を異にするものとすることができる。例えば、シャフト１６０２が長さを異にしている、スイングウェイトが異なる、また以上に指摘されている性能特性の１つ又はそれ以上が異なるものであってもよい。１つの例として、セット１６００のうちの一部のゴルフクラブは中空クラブを含んでいてもよい。個々の中空クラブは、体積を異にする中空区域を含んでいてもよい。更に、中空区域は、発泡体、ポリマー、又は他の種類の材料が充填されていてもよく、充填材料の特定の種類はクラブ間で異なっていてもよい。加えて、セット１６００内のクラブ型式は、例えば１セット内に中空クラブ数本とキャビティバッククラブ数本とマッスルバッククラブ数本を含んでいるといった様に異なっていてもよい。
【０１６７】
ゴルフクラブセット１６００の幾つかの実施形態では、セット１６００に含まれているゴルフクラブの少なくとも１本は、スロット、チャネル、又は他の構造の様な可撓性境界構造を有するクラブヘッド１６０４を有しており、また一方で、セット１６００に含まれているゴルフクラブの少なくとも１本の他のクラブは、可撓性境界構造を持たないクラブヘッド１６０４を有している。例えば、一部の実施形態では、セット１６００に含まれているゴルフクラブの少なくとも１本は、ここに図２Ａ−図２Ｈから図１５Ａ−図１５Ｃまでを参照して説明されているクラブヘッド実施形態の１つ又はそれ以上の様な、スロット又はチャネルを有するクラブヘッド１６０４を有しており、セット１６００に含まれているゴルフクラブの少なくとも１本の他のクラブは可撓性境界構造を有していない。一部の実施形態では、８本又はそれ以上のゴルフクラブのセットは、可撓性境界構造を有するクラブヘッドを備えたゴルフクラブを２本、３本、４本、５本、６本、又は７本まで含み、残りを、可撓性境界構造を有していないクラブヘッドを備えるゴルフクラブとしてもよい。
【０１６８】
表７Ａから表７Ｄは、セット内のクラブ間で異なる性能特性を有するゴルフクラブセット１６００の４つの特定の実施形態を示している。しかしながら、これらはたった４つの実施形態であり、特許請求されている主題はこの点に関して限定されない、ということを指摘しておくのは意義があろう。
【０１６９】
【表７Ａ】
0005980714.tif 000008
【０１７０】
【表７Ｂ】
0005980714.tif 000009
【０１７１】
【表７Ｃ】
0005980714.tif 000010
【０１７２】
【表７Ｄ】
0005980714.tif 000011
【０１７３】
表７Ａから表７Ｄに反映されている様に、多種混合クラブセット内のゴルフクラブの組合せ方には、ゴルフクラブの１本又はそれ以上は可撓性境界構造（例えば、チャネル）を含みゴルフクラブの１本又はそれ以上は可撓性境界構造を含まないといった固有の組み合わせ方がある。（ゴルフクラブセットは表７Ａから表７Ｄに示されているアイアンよりも少ない又は多いアイアンを有していることもあるものと理解されたい。）クラブ間で一貫した平均ギャップ距離を実現することが一般的に望ましい。このやり方では、ゴルファーには、一貫して増分されるクラブショット距離の全範囲が提供されるので、ゴルファーは、特定のショット又は状況によって必要な距離に適うクラブ又はアイアンを選択することができる。典型的には、平均的なプレーヤーについてのアイアンのセット内のクラブ間の平均ギャップ距離は、約８−１０ヤード（約７．３−９．１ｍ）である。ここに示されている様に、ＬＷから３番アイアンまでの可撓性境界構造を有する個々のクラブと可撓性境界構造を有していない個々のクラブとの固有包含方式は、平均的なプレーヤーについてクラブ間の平均ギャップ距離をそれぞれ約１１−１５ヤード（約１０．５−１３．７ｍ）にするのに役立つ。これに関し、ここでの実施形態は、一貫性を提供するとともにゴルファーにとっての距離範囲を全体的に拡大する。
【０１７４】
セットでのギャップ距離の全体的な増加及び個々のアイアンそれぞれについてのボール速度及び距離の増加には、他のパラメータが寄与することもあろう。これらのパラメータには、シャフト長さ、フェース厚さ、フェース面積、重量配分（及びその結果得られるクラブヘッド慣性モーメント（「ＭＯＩ」）及び重心（「ＣＧ」）場所）他、が含まれる。加えて、セットに納められているゴルフクラブの性能、競技適合性、寛容性、又は他の特徴には、更に他のパラメータが寄与することもあろう。これらのパラメータには、トップライン厚さ（及びセット内でのトップライン厚さの増分）、スイングウェイト、及びソール幅が含まれる。これらのパラメータの、ゴルフクラブのセット内のゴルフクラブの性能に対する寄与の説明は、米国公開特許出願第２０１１／０１５９９８１号に提供されており、同出願をここに参考文献としてそっくりそのまま援用する。
【０１７５】
９．クラブヘッド性能
ここに記載されているクラブヘッドの発明者は、チャネル、スロット、及び他の可撓性境界構造をアイアン型式クラブヘッドの周辺領域に組み入れることの効果について調べた。アイアンゴルフクラブヘッド設計を、市販のコンピュータ支援型モデル化及びメッシングソフトウェアとしてモデル化用のPrametric Technology Corporation社によるPro/Engineer及びメッシング用のAltair Engineering社によるHypermeshを使用してモデル化した。ゴルフクラブヘッド設計は、有限要素解析（ＦＥＡ）ソフトウェアとして多くの市販コンピュータ支援型設計及びモデル化ソフトウェアプログラムと共に利用できる有限要素解析（ＦＥＡ）機構又はABAQUS. Inc.社によるABAQUSソフトウェアスイートの様な独立型ＦＥＡソフトウェアを使用して解析した。シミュレーションの下に、クラブヘッドの周辺領域に組み入れられている可撓性境界構造を有するアイアン型式ゴルフクラブヘッドのモデルは、類似構造のゴルフクラブヘッドであって可撓性境界構造を含んでいないゴルフクラブヘッドに比べると、相対的に高いＣＯＲ値及びＣＴ値を生じさせることが観察された。
【０１７６】
加えて、チャネルを有するゴルフクラブヘッドは、チャネルをクラブヘッドの周辺領域に組み入れることの効果を見極めるように構築した。２つのゴルフクラブヘッドについてＣＯＲ測定値を取った。第１のクラブヘッドには可撓性境界構造を含ませなかった。第２のクラブヘッドには、クラブヘッドのソールに配置されている直線状の連続したチャネルを含ませ、表８に設定されている以下のパラメータを持たせた。
【０１７７】
【表８】
0005980714.tif 000012
【０１７８】
ゴルフクラブは、他の点では同一とした。クラブヘッドそれぞれの打球面上の幾つかの場所でＣＯＲ試験を行い、以下の結果を得た。
【０１７９】
【表９】
0005980714.tif 000013
【０１８０】
表９では、場所「ＩＳＬ」は、理想打球場所を指している。「トウ」及び「ヒール」に向かって何ｍｍの場所という場合、打球面平面内の、クラブヘッドのＩＳＬからトウ及びヒールに向けての水平方向距離を指している。「クラウン」及び「ソール」に向かって何ｍｍの場所という場合、打球面平面と直角の垂直方向平面との交点によって定義される線に沿った、クラブヘッドのクラウン及びソールに向けての距離を指している。結果的に、可撓性境界構造は、クラブヘッドのＣＯＲを、クラブヘッドの打球面の場所に依り約０．１１乃至約０．３１増加させることに関与した。
【０１８１】
開示されている本発明の原理を適用でき得る多くの実施形態が見込まれることに鑑みて、示されている実施形態は本発明の好適な例に過ぎず本発明の範囲を限定するものと受け取られてはならないことを認識されたい。それらには記載されている本発明のより広い精神及び範囲から逸脱することなく様々な修正がなされ得ることは明白であろう。従って、本明細書及び図面は、制限を課すという意味ではなくむしろ説明を目的とするという意味で考えられるべきである。
【符号の説明】
【０１８２】
１００  ゴルフクラブヘッド
１０１  理想打球場所
１０２  ヒール
１０３  ＣＧｚ軸
１０４  トウ
１０５  ＣＧｘ軸
１０６  トップライン部分
１０７  ＣＧｙ軸
１０８  ソール部分
１０９  ＣＧｚ上方軸
１１０  打球面
１１０ａ  前面
１１０ｂ  後面
１１１  地平面
１１２  スコアライン溝
１１３  クラブヘッド本体
１１４  ホーゼル
１１５  ホーゼル中心軸
１１６  ソールのヒール側
１１７  ソールのトウ側
１１８  クラブヘッドの前方端
１１９  クラブヘッドの後方端
１２０  内部キャビティ
１２１  振動減衰プラグ
１２５  フェース平面
１２８  背部分
１３０  前部分
１３２  背壁
１３２ａ  外側背壁面
１３２ｂ  内側背壁面
１３３  開口
１３４  陥凹部
１３５  ソールバー
１３６  畝
１３８  後部突起
１４２  リーディングエッジ
１４４  ソールの前方部分
１５０  チャネル
１５２  前方壁
１５４  後方壁
１９０  下接点
１９１、１９３  地平面と４５°の角度を成す線
１９２  上接点
２００  ゴルフクラブヘッド
２０８  ソール部分
２０８ａ  前方ソール外面
２０８ｂ  後方ソール外面
２１０  打球面
２１１  地平面
２２３  充填材料
２２５  打球面平面
２２６  フェース平面投影点
２２７  チャネル中心線投影点
２２８  背部分
２２９  チャネル中心線
２３２  背壁
２３５  ソールバー
２４４  ソールの前方部分
２４５  トレーリングエッジ
２４６  トレーリングエッジ投影点
２４９  チャネル外側面の略外形
２４９ａ  内部側
２４９ｂ  外部側
２５０  チャネル
２５２  前方壁
２５２ａ  前方壁外面
２５４  後方壁
２５４ａ  後方壁外面
２５６  上方壁
２５６ａ  上方壁外面
２５８  チャネル開口部
２６０  第１ヒンジ領域
２６２  第２ヒンジ領域
２６４  前方チャネル進入点
２６５  後方チャネル進入点
２６６  前方チャネル進入点と後方チャネル進入点をつなぐ仮想線
２６６ａ  仮想線の中点
２６７  上方チャネル頂点
３００  ゴルフクラブヘッド
３０１  理想打球場所
３５０  チャネル
４００  ゴルフクラブヘッド
４１１  地平面
４５０  チャネル
４５２  前方壁
４５４  後方壁
５００  ゴルフクラブヘッド
５０１  理想打球場所
５１０  打球面
５５０  チャネル
６００  ゴルフクラブヘッド
６５０  チャネル
７００  ゴルフクラブヘッド
７５０  チャネル
８００  ゴルフクラブヘッド
８５０  チャネル
９００  クラブヘッド
９５０  チャネル
９５２  前方チャネル壁
９５４  後方チャネル壁
９５６  上方チャネル壁
１０００  キャビティバックアイアンクラブヘッド
１００８  ソール
１０３４  陥凹部
１０３５  ソールバー
１０４２  リーディングエッジ
１０４４  ソールの前方部分
１０５０  スロット
１０５８  開口部
１０７０  第１曲線領域
１０７０ａ  頂点
１０７２  第２曲線領域
１０７２ａ  頂点
１０７３  中央接続領域
１１００  クラブヘッド
１１０２  ヒール部分
１１０４  トウ部分
１１０８  ソール
１１２８  クラブヘッドの背部分
１１３０  クラブヘッドの前部分
１１４２  リーディングエッジ
１１５０  スロット
１１５０ａ  スロットのトウ側端
１１５０ｂ  スロットのヒール側端
１１７０  第１曲線領域
１１７２  第２曲線領域
１１７３  中央接続領域
１１７４  曲線
１１７４ａ  トウ側端
１１７４ｂ  ヒール側端
１１７４ｃ  頂点
１１７６  第１直線状領域
１１７８  第２直線状領域
１１８０  主部分
１１８２  副部分
１１８３  ヒールリリーフ部分
１１８４  トウリリーフ部分
１１８５  半径領域
１１８６  ヒールリリーフ部分
１１８７  トウリリーフ部分
１２００  クラブヘッド
１２０２  ヒール領域
１２０４  トウ領域
１２０８  ソール
１２１０  打球面
１２２０  内部キャビティ
１２３４  陥凹部
１２５０  チャネル
１３０２  ヒール領域
１３０４  トウ領域
１３０８  ソール領域
１３５０ａ  第１チャネル
１３５０ｂ  第２チャネル
１４０２  ヒール領域
１４０４  トウ領域
１４０８  ソール
１４１０  打球面
１４５０  チャネル
１５００  クラブヘッド
１５０８  ソール領域
１５１０  打球面
１５１１  地平面
１５２２  仮想基準線
１５２９ａ  第１チャネル中心線
１５２９ｂ  第２チャネル中心線
１５３５  ソールバー
１５４４  ソールの前方部分
１５５０  第１チャネル
１５５１  第２チャネル
１５５２  第１チャネルの前方壁
１５５３  第３チャネル
１５５４  第１チャネルの後方壁
１５５５  第２チャネル後方壁
１５５６  第１チャネルの上方壁
１５５７  第２チャネル下方壁
１５５８  第１チャネル開口部
１５５９  第２チャネル開口部
１５６０  第１ヒンジ領域
１５６２  第２ヒンジ領域、第４ヒンジ領域
１５６４  第３ヒンジ領域
１５６８  第３チャネル後方壁
１５６９  第３チャネル上方壁
１５７１  第３チャネル開口部
１６００  ゴルフクラブセット
１６０２  シャフト
１６０４  ゴルフクラブヘッド
１７００  キャビティバックアイアンゴルフクラブヘッド
１７０６  トップライン
１７１０  打球面
１７３５  ソールバー
１７４４  ソールの前方部分
１７５０  チャネル
１７５２  前方壁
１７５４  後方壁
１７５６  上方壁
１７９４  切り抜き又は窓
１９００  キャビティバックアイアンゴルフクラブヘッド
１９０６  トップライン
１９０８  ソール
１９１０  打球面
１９３４  陥凹部
１９３５  ソールバー
１９４４  ソールの前方部分
１９５０  ソールスロット
１９９６  張り出し部材
１９９８  軸方向経路
１９９８ａ  下経路領域
１９９８ｂ  中間経路領域
１９９８ｃ  上経路領域
Ｄ１  フェースからチャネル（スロット）までの距離
Ｄ２  チャネル（スロット）から後部までの距離
Ｄ３  ソール幅
ＤＣＨ  クラブヘッド奥行
ＤＦ  ギャップ
ＤＳＥＰ  チャネル離隔距離
Ｈ１  （第１）チャネル（スロット）深さ
Ｈ１ＭＡＸ  最大チャネル（スロット）深さ
Ｈ１ＡＶＧ  平均チャネル（スロット）深さ
ＨＣＨ  クラブヘッド高さ
ＨＷ  窓高さ
Ｈｃ  中央部深さ
Ｈｈ  ヒール側深さ
Ｈｔ  トウ側深さ
Ｌ１  （第１）チャネル（スロット）長さ
ＬＢ  ソール長さ
ＬＷ  窓長さ
Ｔ１  第１壁（ヒンジ領域）厚さ
Ｔ２  第２壁（ヒンジ領域）厚さ
ＴＦＳ  ソール最小厚さ
ＴＳＢ  ソールバー最大厚さ
Ｖ  本体体積
Ｗ１  （第１）チャネル（スロット）幅
ｒｍｉｎ  曲線部の局所最小半径
α  チャネル中心線角度
β  前方チャネル壁と後方チャネル壁の内抱角
β、γ  スロットのリリーフ部分の逃げ角
【図１Ａ】
0005980714.tif 000014
【図１Ｂ】
0005980714.tif 000015
【図１Ｃ】
0005980714.tif 000016
【図１Ｄ】
0005980714.tif 000017
【図１Ｅ】
0005980714.tif 000018
【図１Ｆ】
0005980714.tif 000019
【図２Ａ】
0005980714.tif 000020
【図２Ｂ】
0005980714.tif 000021
【図２Ｃ】
0005980714.tif 000022
【図２Ｄ】
0005980714.tif 000023
【図２Ｅ】
0005980714.tif 000024
【図２Ｆ】
0005980714.tif 000025
【図２Ｇ】
0005980714.tif 000026
【図２Ｈ】
0005980714.tif 000027
【図３Ａ】
0005980714.tif 000028
【図３Ｂ】
0005980714.tif 000029
【図４Ａ】
0005980714.tif 000030
【図４Ｂ】
0005980714.tif 000031
【図５Ａ】
0005980714.tif 000032
【図５Ｂ】
0005980714.tif 000033
【図６Ａ】
0005980714.tif 000034
【図６Ｂ】
0005980714.tif 000035
【図７Ａ】
0005980714.tif 000036
【図７Ｂ】
0005980714.tif 000037
【図８Ａ】
0005980714.tif 000038
【図８Ｂ】
0005980714.tif 000039
【図９】
0005980714.tif 000040
【図１０Ａ】
0005980714.tif 000041
【図１０Ｂ】
0005980714.tif 000042
【図１１Ａ】
0005980714.tif 000043
【図１１Ｂ】
0005980714.tif 000044
【図１１Ｃ】
0005980714.tif 000045
【図１１Ｄ】
0005980714.tif 000046
【図１１Ｅ】
0005980714.tif 000047
【図１１Ｆ】
0005980714.tif 000048
【図１１Ｇ】
0005980714.tif 000049
【図１１Ｈ】
0005980714.tif 000050
【図１１Ｉ】
0005980714.tif 000051
【図１１Ｊ】
0005980714.tif 000052
【図１２Ａ】
0005980714.tif 000053
【図１２Ｂ】
0005980714.tif 000054
【図１２Ｃ】
0005980714.tif 000055
【図１３】
0005980714.tif 000056
【図１４Ａ】
0005980714.tif 000057
【図１４Ｂ】
0005980714.tif 000058
【図１４Ｃ】
0005980714.tif 000059
【図１５Ａ】
0005980714.tif 000060
【図１５Ｂ】
0005980714.tif 000061
【図１５Ｃ】
0005980714.tif 000062
【図１６】
0005980714.tif 000063
【図１７Ａ】
0005980714.tif 000064
【図１７Ｂ】
0005980714.tif 000065
【図１８Ａ】
0005980714.tif 000066
【図１８Ｂ】
0005980714.tif 000067
【図１８Ｃ】
0005980714.tif 000068
【図１９Ａ】
0005980714.tif 000069
【図１９Ｂ】
0005980714.tif 000070
【図１９Ｃ】
0005980714.tif 000071
【図２０Ａ】
0005980714.tif 000072
【図２０Ｂ】
0005980714.tif 000073